(57)【要約】関連する音楽情報の移動に伴う、静止画像の著作権を保護すると共に、音楽情報を元の記録媒体に戻した場合、その関連付けを復元することができる情報記録装置等を提供する。オーディオオブジェクトＡＯＢに関連する静止画データＳＴＬを識別するための識別情報ＣＩＤと、オーディオオブジェクトＡＯＢと当該オーディオオブジェクトＡＯＢに関連する静止画データＳＴＬとが同一の光ディスクＤＫ上に存在するか否かを示す存在情報ＳＦＧと、を光ディスクＤＫに記録することにより達成される。
2003092002.tif 000002
【特許請求の範囲】
【請求項１】
主情報と副情報とを記録媒体に記録する情報記録装置において、
前記主情報に関連する前記副情報を識別するための識別情報と、
前記主情報と前記主情報に関連する副情報とが同一の前記記録媒体上に存在するか否かを示す存在情報と、
を前記記録媒体に記録することを特徴とする情報記録装置。
【請求項２】
請求項１に記載の情報記録装置は、更に、
前記副情報に対する著作権の有無を示す著作権有無情報を記録することを特徴とする情報記録装置。
【請求項３】
請求項１に記載の情報記録装置において、
関連する副情報が同一の記録媒体上に存在する前記主情報を、他の記録媒体上に移動する時、前記存在情報を、前記主情報と前記主情報に関連する副情報が同一の前記記録媒体上に存在しないことを示す内容に書き換えることを特徴とする情報記録装置。
【請求項４】
請求項３に記載の情報記録装置において、
他の記録媒体に移動された主情報を、前記記録媒体上に戻す時、前記存在情報を、前記主情報と前記主情報に関連する副情報が同一の前記記録媒体上に存在する内容に書き換えることを特徴とする情報記録装置。
【請求項５】
請求項１に記載の情報記録装置は、更に、
前記主情報に関連する前記副情報の関連付けを一時的に抑止するか否かを示す抑止情報を記録することを特徴とする情報記録装置。
【請求項６】
主情報と、副情報と、前記主情報に関連する前記副情報を識別するための識別情報と、前記主情報と前記主情報に関連する副情報が同一の前記記録媒体上に存在するか否かを示す存在情報と、が記録されている記録媒体を再生する情報再生装置であり、
前記識別情報と前記存在情報とに基づいて、前記主情報に関連して再生可能な副情報を特定し、特定した副情報を前記主情報に関連して再生することを特徴とする情報再生装置。
【請求項７】
請求項６に記載の情報再生装置において、
前記記録媒体は更に、前記主情報に関連する前記副情報の関連付けを一時的に抑止するか否かを示す抑止情報が記録されており、
前記情報再生装置は、前記抑止情報に基づいて、前記特定した副情報の内、関連付けが抑止されていない副情報のみを前記主情報に関連して再生することを特徴とする情報再生装置。
【請求項８】
主情報と副情報とが記録される記録媒体であり、
前記主情報に関連する前記副情報を識別するための識別情報と、前記主情報と前記主情報に関連する副情報が同一の前記記録媒体上に存在するか否かを示す存在情報と、を記録する領域を備えることを特徴とする記録媒体。
【請求項９】
請求項８に記載の記録媒体は、更に、
前記副情報に対する著作権の有無を示す著作権有無情報を記録する領域を備えることを特徴とする記録媒体。
【請求項１０】
主情報と副情報とを記録媒体に記録する情報記録方法において、
前記主情報と、当該主情報に関連して再生可能な副情報と、を前記記録媒体に記録する工程と、
前記主情報に関連する前記副情報を識別するための識別情報と、前記主情報と前記主情報に関連する副情報が同一の前記記録媒体上に存在するか否かを示す存在情報と、を前記記録媒体に記録する工程と、
を備えること特徴とする情報記録方法。
【請求項１１】
請求項１０に記載の情報記録方法は、更に、
前記副情報に対する著作権の有無を示す著作権有無情報を記録することを特徴とする情報記録方法。
【請求項１２】
主情報と、副情報と、前記主情報に関連する前記副情報を識別するための識別情報と、前記主情報と前記主情報に関連する副情報が同一の前記記録媒体上に存在するか否かを示す存在情報と、が記録されている記録媒体を再生する情報再生方法であり、
前記識別情報と前記存在情報とに基づいて、前記主情報に関連する副情報を特定する工程と、
前記特定した副情報を前記主情報に関連して再生する工程と、
を備えることを特徴とする情報再生方法。
【請求項１３】
請求項１２に記載の情報再生方法において、
前記記録媒体は更に、前記主情報に関連する前記副情報の関連付けを一時的に抑止するか否かを示す抑止情報が記録されており、
前記再生工程は、前記抑止情報に基づいて、前記特定した副情報の内、関連付けが抑止されていない副情報のみを前記主情報に関連して再生することを特徴とする情報再生方法。
【請求項１４】
主情報と副情報とを記録媒体に記録する情報記録装置に備えられているコンピュータを制御する記録制御用プログラムであって、
当該コンピュータを、前記主情報に関連する前記副情報を識別するための識別情報と、前記主情報と前記主情報に関連する副情報が同一の前記記録媒体上に存在するか否かを示す存在情報と、を前記記録媒体に記録する記録手段、
として機能させることを特徴とする記録制御用プログラム。
【請求項１５】
請求項１４に記載の記録制御用プログラムは、更に、
前記コンピュータを、前記副情報に対する著作権の有無を示す著作権有無情報を記録する手段として機能させることを特徴とする情報記録方法。
【請求項１６】
請求項１４又は１５に記載の記録制御用プログラムが前記コンピュータで読取可能に記録されている情報記録媒体。
【請求項１７】
主情報と、副情報と、前記主情報に関連する前記副情報を識別するための識別情報と、前記主情報と前記主情報に関連する副情報が同一の前記記録媒体上に存在するか否かを示す存在情報と、が記録されている記録媒体を再生する情報再生装置に備えられているコンピュータを制御する再生制御用プログラムであって、
当該コンピュータを、
前記識別情報と前記存在情報とに基づいて、前記主情報に関連して再生可能な副情報を特定する特定手段、及び、
当該特定した副情報を前記主情報に関連して再生する再生手段、
として機能させることを特徴とする再生制御用プログラム。
【請求項１８】
請求項１７に記載の再生制御用プログラムであって、
前記記録媒体は更に、前記主情報に関連する前記副情報の関連付けを一時的に抑止するか否かを示す抑止情報が記録されており、
前記再生手段として機能する前記コンピュータを、前記抑止情報に基づいて、前記特定した副情報の内、関連付けが抑止されていない副情報のみを前記主情報に関連して再生するように機能させることを特徴とする再生制御用プログラム。
【請求項１９】
請求項１７又は１８に記載の再生制御用プログラムが前記コンピュータで読取可能に記録されている情報記録媒体。
【発明の詳細な説明】
技術分野
本発明は、情報記録装置、情報再生装置、情報記録方法、情報再生方法、記録制御用プログラム、再生制御用プログラム並びに情報記録媒体及び記録媒体の技術分野に属し、より詳細には、音楽情報等の主情報と、当該主情報に関連付けされる静止画像情報等の副情報と、を取り扱う情報記録装置、情報再生装置、情報記録方法、情報再生方法、記録制御用プログラム、再生制御用プログラム並びに情報記録媒体及び当該主情報及び副情報が記録された記録媒体の技術分野に属する。
背景技術
近年、楽曲等の音楽情報がインターネット等のネットワークを介して有償にて配布される、いわゆる音楽配信が一般的に行われつつある。
この音楽情報が配信される場合、当該配信された音楽情報は一般にはいわゆるパーソナルコンピュータ等により構成された記録装置に記録される場合が多い。
他方、近年においては、半導体メモリ等の固体メモリを備えた携帯型のいわゆるオーディオレコーダが開発されており、上記パーソナルコンピュータ等に記録された音楽情報を、このオーディオレコーダに記録して外出先にてその音楽情報を楽しむことも可能とされている。なお、この場合、当該音楽情報が著作権により保護されていることから、パーソナルコンピュータ上の音楽情報は再生すること自体が不可能となるように処理される。すなわち、当該音楽情報はパーソナルコンピュータ等からオーディオレコーダに対して、「複写」ではなく「移動（ムーブと呼ばれる）」されることとなる。
最近に至っては、ＤＶＤオーディオ等のように、静止画像を音楽情報の再生と同期して楽しむ、あるいは静止画像を音楽情報を選択するためのメニュー表示に用いたい等の要求が高まってきている。
しかしながら、上記した如き音楽情報の移動に伴う静止画像の取り扱いについては、従来何ら規定されていなかった。
従って、例えばパーソナルコンピュータに記録された音楽情報を携帯型のオーディオレコーダに移動すると、パーソナルコンピュータ内に静止画像が取り残されて、その静止画像に対する著作権保護が十分に為されないとか、再び携帯型のオーティオレコーダから音楽情報をパーソナルコンピュータに戻す（ムーブバックと呼ばれる）と、再び音楽情報と静止画像との関連付けを復元できない等という問題点などが生じた。
発明の開示
そこで、本発明は、上記の問題点に鑑みて為された情報記録装置、情報再生装置、情報記録方法、情報再生方法、記録制御用プログラム、再生制御用プログラム並びに情報記録媒体及び当該主情報及び副情報が記録された記録媒体を提供することにある。
上記の課題を解決するために、第一の本発明は、主情報と副情報とを記録媒体に記録する情報記録装置において、前記主情報に関連する前記副情報を識別するための識別情報と、前記主情報と前記主情報に関連する副情報とが同一の前記記録媒体上に存在するか否かを示す存在情報と、を前記記録媒体に記録することを特徴とする情報記録装置により、上述した課題を解決した。
この第一の本発明によれば、主情報に関連する副情報を識別するための識別情報と、主情報と当該主情報に関連する副情報とが同一の記録媒体上に存在するか否かを示す存在情報と、をその記録媒体に記録するので、主情報と、副情報と、が相互に別個に他の記録媒体に移動された後においても、その主情報と、当該主情報に関連付けて再生されるべき副情報と、の対応関係を正確に保持して夫々が保護されている著作権を保持することができる。
更に、第一の本発明の好ましい第一の態様は、前記副情報に対する著作権の有無を示す著作権有無情報を更に記録することを特徴とする。
この一態様によれば、識別情報及び存在情報に加えて著作権有無情報を更に記録するので、副情報に対する著作権の有無に応じて主情報との対応関係を保持することができる。
更にまた、第一の本発明の好ましい第二の態様は、関連する副情報が同一の記録媒体上に存在する前記主情報を、他の記録媒体上に移動する時、前記存在情報を、前記主情報と前記主情報に関連する副情報が同一の前記記録媒体上に存在しないことを示す内容に書き換えることを特徴とする。
この一態様によれば、関連する副情報が同一の記録媒体上に存在する主情報を他の記録媒体上に移動する時、存在情報を、主情報とこれに関連する副情報が同一の記録媒体上に存在しないことを示す内容に書き換えるので、主情報と副情報とが別個に移動されてきた後であっても、その移動前の相互の関連付けの関係をその移動前の状態に復活することができる。
また、上記第一の本発明の第二の態様の好ましい一態様は、他の記録媒体に移動された主情報を、前記記録媒体上に戻す時、前記存在情報を、前記主情報と前記主情報に関連する副情報が同一の前記記録媒体上に存在する内容に書き換えることを特徴とする。
この一態様によれば、他の記録媒体に移動された主情報を、記録媒体上に戻す時、存在情報を、主情報とこれに関連する副情報が同一の記録媒体上に存在する内容に書き換えるので、主情報と副情報とが別個に移動されてきた後であっても、その移動前の相互の関連付けの関係をその移動前の状態に復活することができる。
更に、第一の本発明の好ましい第三の態様は、前記主情報に関連する前記副情報の関連付けを一時的に抑止するか否かを示す抑止情報を更に記録することを特徴とする。
この一態様によれば、主情報に関連する副情報の関連付けを一時的に抑止するか否かを示す抑止情報を更に記録するので、関連付けが抑止されている場合にその旨を容易に認識することができる。
上記の課題を解決するために、第二の本発明は、主情報と、副情報と、前記主情報に関連する前記副情報を識別するための識別情報と、前記主情報と前記主情報に関連する副情報が同一の前記記録媒体上に存在するか否かを示す存在情報と、が記録されている記録媒体を再生する情報再生装置であり、前記識別情報と前記存在情報とに基づいて、前記主情報に関連して再生可能な副情報を特定し、特定した副情報を前記主情報に関連して再生することを特徴とする情報再生装置により、上述した課題を解決した。
この第二の本発明によれば、識別情報と存在情報とに基づいて、主情報に関連して再生可能な副情報を特定し、特定した副情報を主情報に関連して再生するので、主情報と、当該主情報に関連付けて再生されるべき副情報と、の対応関係を正確に保持して夫々が保護されている著作権を保持することができる。
更に、第二の本発明の好ましい第一の態様は、前記記録媒体は更に、前記主情報に関連する前記副情報の関連付けを一時的に抑止するか否かを示す抑止情報が記録されており、前記情報再生装置は、前記抑止情報に基づいて、前記特定した副情報の内、関連付けが抑止されていない副情報のみを前記主情報に関連して再生することを特徴とする。
この一態様によれば、抑止情報に基づいて、特定した副情報の内、関連付けが抑止されていない副情報のみを主情報に関連して再生するので、関連付けが抑止されている場合にその抑止状態を遵守して再生されるべき副情報を再生することができる。
上記の課題を解決するために、第三の本発明は、主情報と副情報とが記録される記録媒体であり、前記主情報に関連する前記副情報を識別するための識別情報と、前記主情報と前記主情報に関連する副情報が同一の前記記録媒体上に存在するか否かを示す存在情報と、を記録する領域を備えることを特徴とする記録媒体により、上述した課題を解決した。
この第三の本発明によれば、主情報に関連する副情報を識別するための識別情報と、主情報と当該主情報に関連する副情報とが同一の記録媒体上に存在するか否かを示す存在情報と、がその記録媒体に記録されているので、主情報と、副情報と、が相互に別個に他の記録媒体に移動された後においても、その主情報と、当該主情報に関連付けて再生されるべき副情報と、の対応関係を正確に保持して夫々が保護されている著作権を保持することができる。
更に、第三の本発明の好ましい第一の態様は、前記副情報に対する著作権の有無を示す著作権有無情報を記録する領域を更に備えることを特徴とする。
この一態様によれば、識別情報及び存在情報に加えて著作権有無情報を更に記録するので、副情報に対する著作権の有無に応じて主情報との対応関係を保持することができる。
上記の課題を解決するために、第四の本発明は、主情報と副情報とを記録媒体に記録する情報記録方法において、前記主情報と、当該主情報に関連して再生可能な副情報と、を前記記録媒体に記録する工程と、前記主情報に関連する前記副情報を識別するための識別情報と、前記主情報と前記主情報に関連する副情報が同一の前記記録媒体上に存在するか否かを示す存在情報と、を前記記録媒体に記録する工程と、を備えること特徴とする情報記録方法により、上述した課題を解決した。
この第四の本発明によれば、主情報に関連する副情報を識別するための識別情報と、主情報と当該主情報に関連する副情報とが同一の記録媒体上に存在するか否かを示す存在情報と、をその記録媒体に記録するので、主情報と、副情報と、が相互に別個に他の記録媒体に移動された後においても、その主情報と、当該主情報に関連付けて再生されるべき副情報と、の対応関係を正確に保持して夫々が保護されている著作権を保持することができる。
更に、第四の本発明の好ましい第一の態様は、前記副情報に対する著作権の有無を示す著作権有無情報を更に記録することを特徴とする。
この一態様によれば、識別情報及び存在情報に加えて著作権有無情報が更に記録されているので、副情報に対する著作権の有無に応じて主情報との対応関係を保持することができる。
上記の課題を解決するために、第五の本発明は、主情報と、副情報と、前記主情報に関連する前記副情報を識別するための識別情報と、前記主情報と前記主情報に関連する副情報が同一の前記記録媒体上に存在するか否かを示す存在情報と、が記録されている記録媒体を再生する情報再生方法であり、前記識別情報と前記存在情報とに基づいて、前記主情報に関連する副情報を特定する工程と、前記特定した副情報を前記主情報に関連して再生する工程と、を備えることを特徴とする情報再生方法により、上述した課題を解決した。
この第五の本発明によれば、識別情報と存在情報とに基づいて、主情報に関連して再生可能な副情報を特定し、特定した副情報を主情報に関連して再生するので、主情報と、当該主情報に関連付けて再生されるべき副情報と、の対応関係を正確に保持して夫々が保護されている著作権を保持することができる。
更に、第五の本発明の好ましい第一の態様は、前記記録媒体は更に、前記主情報に関連する前記副情報の関連付けを一時的に抑止するか否かを示す抑止情報が記録されており、前記再生工程は、前記抑止情報に基づいて、前記特定した副情報の内、関連付けが抑止されていない副情報のみを前記主情報に関連して再生することを特徴とする。
この一態様によれば、抑止情報に基づいて、特定した副情報の内、関連付けが抑止されていない副情報のみを主情報に関連して再生するので、関連付けが抑止されている場合にその抑止状態を遵守して再生されるべき副情報を再生することができる。
上記の課題を解決するために、第六の本発明は、主情報と副情報とを記録媒体に記録する情報記録装置に備えられているコンピュータを制御する記録制御用プログラムであって、当該コンピュータを、前記主情報に関連する前記副情報を識別するための識別情報と、前記主情報と前記主情報に関連する副情報が同一の前記記録媒体上に存在するか否かを示す存在情報と、を前記記録媒体に記録する記録手段、として機能させることを特徴とする記録制御用プログラムにより、上述した課題を解決した。
この第六の本発明によれば、主情報に関連する副情報を識別するための識別情報と、主情報と当該主情報に関連する副情報とが同一の記録媒体上に存在するか否かを示す存在情報と、をその記録媒体に記録するようにコンピュータが機能するので、主情報と、副情報と、が相互に別個に他の記録媒体に移動された後においても、その主情報と、当該主情報に関連付けて再生されるべき副情報と、の対応関係を正確に保持して夫々が保護されている著作権を保持することができる。
更に、第六の本発明の好ましい第一の態様は、前記コンピュータを、前記副情報に対する著作権の有無を示す著作権有無情報を記録する手段として更に機能させることを特徴とする。
この一態様によれば、識別情報及び存在情報に加えて著作権有無情報を更に記録するようにコンピュータが機能するので、副情報に対する著作権の有無に応じて主情報との対応関係を保持することができる。
上記の課題を解決するために、第七の本発明は、上記第六の発明の記録制御用プログラムが前記コンピュータで読取可能に記録されている情報記録媒体により、上述した課題を解決した。
この第七の本発明によれば、記録されている第六の発明をコンピュータで読み出して実行することにより、主情報に関連する副情報を識別するための識別情報と、主情報と当該主情報に関連する副情報とが同一の記録媒体上に存在するか否かを示す存在情報と、をその記録媒体に記録するように当該コンピュータが機能するので、主情報と、副情報と、が相互に別個に他の記録媒体に移動された後においても、その主情報と、当該主情報に関連付けて再生されるべき副情報と、の対応関係を正確に保持して夫々が保護されている著作権を保持することができる。
上記の課題を解決するために、第八の本発明は、主情報と、副情報と、前記主情報に関連する前記副情報を識別するための識別情報と、前記主情報と前記主情報に関連する副情報が同一の前記記録媒体上に存在するか否かを示す存在情報と、が記録されている記録媒体を再生する情報再生装置に備えられているコンピュータを制御する再生制御用プログラムであって、当該コンピュータを、前記識別情報と前記存在情報とに基づいて、前記主情報に関連して再生可能な副情報を特定する特定手段、及び、当該特定した副情報を前記主情報に関連して再生する再生手段、として機能させることを特徴とする再生制御用プログラムにより、上述した課題を解決した。
この第八の本発明によれば、識別情報と存在情報とに基づいて、主情報に関連して再生可能な副情報を特定し、特定した副情報を主情報に関連して再生するようにコンピュータが機能するので、主情報と、当該主情報に関連付けて再生されるべき副情報と、の対応関係を正確に保持して夫々が保護されている著作権を保持することができる。
更に、第八の本発明の好ましい第一の態様は、前記記録媒体は更に、前記主情報に関連する前記副情報の関連付けを一時的に抑止するか否かを示す抑止情報が記録されており、前記再生手段として機能する前記コンピュータを、前記抑止情報に基づいて、前記特定した副情報の内、関連付けが抑止されていない副情報のみを前記主情報に関連して再生する用に機能させることを特徴とする。
この一態様によれば、抑止情報に基づいて、特定した副情報の内、関連付けが抑止されていない副情報のみを主情報に関連して再生するようにコンピュータが機能するので、関連付けが抑止されている場合にその抑止状態を遵守して再生されるべき副情報を再生することができる。
上記の課題を解決するために、第九の本発明は、上記第八の本発明の再生制御用プログラムが前記コンピュータで読取可能に記録されている情報記録媒体により、上述した課題を解決した。
この第九の本発明によれば、記録されている第八の発明をコンピュータで読み出して実行することにより、識別情報と存在情報とに基づいて、主情報に関連して再生可能な副情報を特定し、特定した副情報を主情報に関連して再生するように当該コンピュータが機能するので、主情報と、当該主情報に関連付けて再生されるべき副情報と、の対応関係を正確に保持して夫々が保護されている著作権を保持することができる。
発明を実施するための最良の形態
次に、本発明に好適な実施の形態について、図面に基づいて説明する。
なお、以下に説明する実施の形態は、著作権法上保護されていることを示す著作権情報を含む音楽情報と当該主情報に関連する著作権情報を含む静止画像情報と、を一の光ディスクに記録すると共に、当該音楽情報又は静止画像情報のいずれか一方を他方に対して単独で別個に他の光ディスクに移動することが可能な情報記録再生装置に対して本発明を適応した場合の実施の形態である。
また、以下の説明において、「移動」とは、上記音楽情報又は静止画像情報のいずれか一方を他の光ディスク上に移動し、且つ、移動前の元のディスク上においては当該いずれか一方が再生禁止となっているか、又はそのいずれか一方自体が当該元のディスク上から消去されている状態を言うものとする。
（Ｉ）記録フォーマットの実施形態
先ず初めに、実施形態に係る情報記録再生装置の構成について具体的に説明する前に、当該情報記録再生装置を用いて光ディスクに音楽情報（以下、適宜オーディオオブジェクト又は単にオブジェクトと称する）及び静止画像情報を記録する場合に用いられる物理的な記録フォーマットである物理フォーマットについて、図１乃至図４を用いて説明する。
なお、図１乃至図４は、当該物理フォーマットを階層的に示す図である。
図１に示すように、実施形態の情報記録再生装置により音楽情報及び当該音楽情報に関連する静止画像情報が記録された光ディスクＤＫは、その内周側から、光ディスクＤＫに記録されている情報の再生を開始するに当たって最初に読み出されるべき情報であるリードイン情報ＬＩと、当該光ディスクＤＫに記録されている音楽情報及び静止画像情報のファイル構造を一元的に管理するための情報であるファイルシステム情報ＦＳと、音楽情報や静止画像情報等からなる記録情報ＡＶと、その他の情報である他情報ＥＴと、光ディスクＤＫに記録されている情報の再生を終了するに当たって最後に読み出されるべき情報であるリードアウト情報ＬＯと、が記録されている。
次に、記録情報ＡＶとして具体的には、光ディスクＤＫの内周側から、管理情報ＭＧと、オーディオ情報ＡＤと、静止画情報ＳＴと、バックアップ情報ＢＵと、保護情報ＣＰと、他情報ＥＴＣと、が含まれている。
このとき、オーディオ情報ＡＤには、光ディスクＤＫに記録されている音楽情報自体及びそれに関連する情報が含まれており、また、静止画情報ＳＴには、当該音楽情報に関連付けて記録されている静止画像情報自体及びそれに関連する情報が含まれている。
また、管理情報ＭＧには、当該音楽情報及び静止画像情報の再生態様（具体的には、再生順序及びいずれの音楽情報等を再生するか等）を設定するための情報が含まれており、当該管理情報ＭＧが誤って改変された場合等に備えたバックアップとしての情報がバックアップ情報ＢＵである。従って、当該バックアップ情報ＢＵには管理情報ＭＧ内の情報がそのまま複写される形で含まれている。
次に、保護情報ＣＰとしては、光ディスクＤＫに記録されている音楽情報及び静止画像情報に対して、著作権法の保護を施すための情報が含まれている。
次に、上記管理情報ＭＧの細部構成について、説明する。
当該管理情報ＭＧとしては、総合情報ＧＮと、オーディオデータ情報テーブルＡＤＴと、静止画データ情報テーブルＳＴＴと、プログラムチェーン情報テーブルＰＧＴと、テキストデータ情報テーブルＴＸＴと、他情報ＥＴＴと、が含まれている。
このとき、総合情報ＧＮには、当該総合情報ＧＮとしての細部情報である詳細情報ＤＴと、実施形態に係る音楽情報等が光ディスクＤＫに最初に記録された後に使用者が自身で定義したその音楽情報の再生順序等を示す使用者定義プレイリスト情報ＰＬと、が含まれている。このとき、プレイリストとは、上記音楽情報を最初に光ディスクＤＫに記録した際の順序又は組み合わせとは異なる順序又は組み合わせでそれらを再生するために定義づけられるものである。
更に、詳細情報ＤＴには、管理情報ＭＧ内に含まれている各情報等の光ディスクＤＫ上の記録領域の開始位置を示す開始アドレス情報ＳＴＴと、詳細情報ＤＴとしてのその他の情報である他情報ＥＴ１と、が含まれている。
次に、オーディオデータ情報テーブルＡＤＴには、光ディスクＤＫに記録されている一又は複数の音楽情報が属する属性（種類）を示す情報（従って、その数は光ディスクＤＫに記録されている音楽情報の数とは異なる場合がある）であるオーディオ属性情報ＣＧと、当該各音楽情報毎に夫々の音楽情報の光ディスクＤＫ上の記録領域の開始位置を示すアドレス情報等が含まれているオブジェクト情報テーブルＯＢＴと、オーディオデータ情報テーブルＡＤＴとしてのその他の情報である他情報ＥＴ２と、が含まれている。
そして、当該オブジェクト情報テーブルＯＢＴには、光ディスクＤＫに記録されている各音楽情報に関する情報（従って、その数は光ディスクＤＫに記録されている音楽情報の数と同一である）であるオーディオオブジェクト情報ＡＯＢＩと、オブジェクト情報テーブルＯＢＴとしてのその他の情報である他情報ＥＴ３と、が含まれている。
更に、各オーディオオブジェクト情報ＡＯＢＩは、対応する音楽情報の光ディスクＤＫ上の記録領域の開始位置を示すオブジェクト開始アドレス情報ＳＡＯＢと、各オーディオオブジェクト情報ＡＯＢＩとしてのその他の情報である他情報ＥＴ４と、が含まれている。
次に、静止画データ情報テーブルＳＴＴの細部について説明する。
初めに、本実施形態の物理フォーマットにおいては、一の音楽情報について一又は複数の静止画像情報を対応付けることが可能となっており、一の音楽情報又は後述する一のプログラムに対応して再生すべきと関連付けられている一群の静止画像情報を静止画群と称している。
そして、静止画データ情報テーブルＳＴＴには、各静止画群が記録されている光ディスクＤＫ上の位置又は当該各静止画群自体を指し示す情報（従って、その数は光ディスクＤＫに記録されている静止画群の数と同一である）である静止画群サーチポインタＳＳＰと、各静止画群の内容の細部を示す情報（従って、その数は光ディスクＤＫに記録されている静止画群の数と同一である）である静止画群情報ＳＶと、静止画データ情報テーブルＳＴＴとしてのその他の情報である他情報ＥＴ５と、が含まれている。
次に、一の静止画群情報ＳＶには、当該静止画群情報ＳＶが対応すべき静止画群の光ディスクＤＫ上の記録領域の開始位置を示す静止画群開始アドレス情報ＳＴＶと、その静止画群内に含まれている静止画像（すなわち静止画像情報）の数を示す静止画総数情報ＳＮＭ、各静止画像個々の詳細な情報（従って、その数はその静止画群に含まれている静止画の数と同一である）である静止画情報ＳＴＩと、静止画群情報ＳＶとしてのその他の情報である他情報ＥＴ６と、が含まれている。
そして、一の静止画情報ＳＴＩには、その静止画情報ＳＴＩが対応すべき静止画像情報の情報量を示すサイズ情報ＳＺと、その静止画像をその再生の際に一時的に非表示とするか否かを示す非表示フラグＦＧと、静止画情報ＳＴＩとしてのその他の情報である他情報ＥＴ７と、が含まれている。
次に、上記プログラムチェーン情報テーブルＰＧＴの細部について、図２（ａ）を用いて説明する。
当該プログラムチェーン情報テーブルＰＧＴには、光ディスクＤＫに記録されている音楽情報の再生順番に関する情報が含まれている。このとき、プログラムチェーン情報テーブルＰＧＴにおける当該再生順番は、上記使用者定義プレイリストとは異なり、当該使用者が定義したものではなく、最初に各音楽情報が光ディスクＤＫに記録された際の順番と同じものである。
一方、本実施形態では、各音楽情報の再生単位として、「プログラム」なる概念を用いる。このプログラムは、具体的には従来のＣＤ（Ｃｏｍｐａｃｔ  Ｄｉｓｃ）等におけるいわゆる「トラック」に該当するものである。そして、このプログラムの集合体がプログラムチェーンである。
次に、一のプログラムは、その概念上一又は複数のプログラムセルという構成単位により構成されている。ここで、プログラムセルは、光ディスクＤＫに記録された一の音楽情報そのものであるオブジェクトと一対一の関係にある。
そして、例えば、使用者が二つのプログラムセルを用いて独自に一つのプログラムを構成することも物理フォーマット上可能である。この場合、最初に音楽情報を光ディスクＤＫに記録したときは、プログラムとプログラムセルは一対一の関係にあるが、その後に各音楽情報毎の分割又は統合等の編集作業が実行された場合にはその一対一の関係は崩れることとなる。
以上の前提において、プログラムチェーン情報テーブルＰＧＴには、プログラム情報ＰＧＩと、セル情報サーチポインタＣＳＰと、セル情報ＣＩと、プログラム総数情報ＰＮＴと、セル総数情報ＣＮＴと、プログラムチェーン情報テーブルＰＧＴとしてのその他の情報である他情報ＥＴ８と、が含まれている。
このとき、プログラム情報ＰＧＩは、前記各プログラムに関する情報（従って、その数は光ディスクＤＫ上に構成されているプログラムの数と同一である）により構成されている。
また、セル情報サーチポインタＣＳＰは、各プログラムに含まれているプログラムセルに関する情報であるプログラムセル情報が記録されている光ディスクＤＫ上の位置又は当該各プログラムセル情報自体を指し示す情報（従って、その数は光ディスクＤＫ上に構成されているプログラムセルの数と同一である）により構成されている。
更に、セル情報ＣＩは、各プログラムセルに対応する音楽情報に関する情報（従って、その数は光ディスクＤＫ上に構成されているプログラムセルの数と同一である）により構成されている。
そして、プログラム総数情報ＰＮＴは光ディスクＤＫ上に記録されているプログラムの総数を示す情報であり、セル総数情報ＣＮＴは光ディスクＤＫ上に記録されているプログラムセルの総数を示す情報である。
次に、一のプログラム情報ＰＧＩには、テキストサーチポインタＸＳＰと、セル個数情報ＣＮＢと、静止画群サーチポインタ番号情報ＰＮＭと、静止画群モード定義情報ＭＤと、プログラム情報ＰＧＩとしてのその他の情報である他情報ＥＴ９と、が含まれている。
このとき、テキストサーチポインタＸＳＰは、そのプログラムに対応するテキスト情報（文字情報）の光ディスクＤＫ上の記録位置を示す情報により構成されている。
また、セル個数情報ＣＮＢは、そのプログラムに含まれているプログラムセル個数を示す情報により構成されている。
更に、静止画群サーチポインタ番号情報ＰＮＭは、そのプログラムに対応する静止画群の番号を示す情報により構成されている。
更にまた、静止画群モード定義情報ＭＤは、そのプログラムに対応する静止画群の表示モードを定義付ける情報により構成されている。ここで、当該表示モードを定義づける情報とは、例えば対応する静止画群内の静止画情報を表示する際の表示時間等の表示モードを定義づける情報である。
一方、一のセル情報ＣＩには、オーディオオブジェクト番号情報ＡＤＮと、再生開始アドレス情報ＳＴＡと、再生終了アドレス情報ＥＮＡと、セル情報ＣＩとしてのその他の情報である他情報ＥＴ１０と、が含まれている。
このとき、オーディオオブジェクト番号情報ＡＤＮは、そのプログラムにより定義付けられている再生態様において再生されるべき音楽情報であるオーディオオブジェクトの番号を示す情報により構成されている。
次に、再生開始アドレス情報ＳＴＡは当該再生されるべきオーディオオブジェクトが記録されている光ディスクＤＫ上の記録領域の開始位置を示すアドレス情報であり、再生終了アドレス情報ＥＮＡは当該再生されるべきオーディオオブジェクトが記録されている光ディスクＤＫ上の記録領域の終了位置を示すアドレス情報である。
次に、上記テキストデータ情報テーブルＴＸＴの細部について、図２（ｂ）を用いて説明する。
図２（ｂ）に示すように、テキストデータ情報テーブルＴＸＴには、テキストデータサーチポインタＴＤＰと、テキストデータＴＤと、テキストデータ情報テーブルＴＸＴとしてのその他の情報である他情報ＥＴ１１と、２より構成されている。
このとき、各テキストデータサーチポインタＴＤＰは、プログラムとして再生されるべき文字情報としてのテキストデータＴＤが記録されている光ディスクＤＫ上の位置又は当該各テキストデータＴＤ自体を指し示す情報（従って、その数は光ディスクＤＫ上に構成されているテキストデータＴＤの数と同一である）により構成されている。
また、各テキストデータＴＤには、上記プログラムとして再生されるべき文字情報自体が含まれている。
次に、上記オーディオ情報ＡＤ及び静止画情報ＳＴの細部について、図３を用いて説明する。
先ず、オーディオ情報ＡＤには、上記音楽情報そのものであるオーディオオブジェクトＡＯＢが、相互に識別可能に含まれている。
また、静止画情報ＳＴには、上記静止画像情報を一又は複数含んで構成されており上記静止画群に相当する静止画データ群ＳＵＶが、相互に識別可能に含まれている。
そして、各静止画データ群ＳＵＶには、一又は複数の静止画データＳＴＬが含まれている。このとき、当該静止画データＳＴＬが上記した静止画情報そのものに相当するのであり、図３に示す例では、第１静止画データ群ＳＵＶ１には二枚分の静止画データＳＴＬ１及びＳＴＬ２が含まれており、第２静止画データ群ＳＵＶ２には三枚分の静止画データＳＴＬ１乃至ＳＴＬ３が含まれている。
次に、上記保護情報ＣＰの細部について、図４を用いて説明する。
図４に示すように、保護情報ＣＰには、管理情報サーチポインタＣＰＳＰと、管理情報ＣＰＳと、管理情報数情報ＣＰＳＮと、保護情報ＣＰとしてのその他の情報である他情報ＥＴ１２と、が含まれている。
このとき、各管理情報サーチポインタＣＰＳＰは、各音楽情報及び静止画像情報に施されている著作権保護処理に関する情報である上記管理情報ＣＰＳが記録されている光ディスクＤＫ上の位置又は当該各管理情報ＣＰＳ自体を指し示す情報（従って、その数は光ディスクＤＫ上に構成されている管理情報ＣＰＳの数と同一である）により構成されている。
また、管理情報ＣＰＳは、上述したように各音楽情報及び静止画像情報に施されている著作権保護処理に関する情報であり、当該各音楽情報及び静止画像情報の他の光ディスクへの移動を管理するための情報を含んでいる。ここで、当該管理情報ＣＰＳは、当該管理情報ＣＰＳの管理下にある情報が音楽情報であるか、或いは静止画像情報であるかに応じて異なる構造を有している。なお、図４においては、管理情報ＣＰＳの管理下にある情報が音楽情報である場合における当該管理情報ＣＰＳの構造を図４（ａ）に、同じくその管理下にある情報が静止画像情報である場合における当該管理情報ＣＰＳの構造を図４（ｂ）に示している。
更に、管理情報数情報ＣＰＳＮは、光ディスクＤＫ上に記録されている管理情報ＣＰＳの総数を示す情報である。
次に、一の管理情報ＣＰＳは、当該管理情報ＣＰＳの管理下にある情報が音楽情報である場合（図４（ａ））には、種類情報ＫＫと、存在情報フラグＳＦＧと、プログラム番号情報ＰＧＮと、コピー許可情報ＣＰＡと、移動許可情報ＭＶＡと、複数の副情報管理情報ＳＭＧと、識別情報ＣＰＩＤと、管理情報ＣＰＳとしてのその他の情報である他情報ＥＴ１３と、により構成されている。
ここで、種類情報ＫＫは、その管理情報ＣＰＳの管理下にある情報の属性を示す情報であり、この場合は音楽情報である旨の情報「００ｂ」が入れられている。
次に、存在情報フラグＳＦＧは、その管理情報ＣＰＳの管理下にある音楽情報と、当該音楽情報に関連する静止画像情報及びテキスト情報とが、同一の光ディスクＤＫ上に存在するか否かを示すフラグである。その値として具体的には、音楽情報と当該音楽情報に関連する静止画像情報及びテキスト情報の両方が、同一の光ディスクＤＫ上に存在するときは、「１１ｂ（「ｂ」は二進数であることを示す。以下、同様。）」とされる。音楽情報と当該音楽情報に関連するテキスト情報のみが、同一の光ディスクＤＫ上に存在するときには、「０１ｂ」とされる。音楽情報と当該音楽情報に関連する静止画像情報のみが、同一の光ディスクＤＫ上に存在するときには、「１０ｂ」とされる。そして、音楽情報と当該音楽情報に関連する静止画像情報（又はテキスト情報）が同一の光ディスクＤＫ上に存在しないときは「００ｂ」とされる。
また、プログラム番号情報ＰＧＮは、その管理情報ＣＰＳの管理下にある音楽情報が所属する前記プログラム情報ＰＧＩ（図２参照）の番号を示す情報である。なお、このプログラム番号情報ＰＧＮの代わりに、前記プログラム情報ＰＧＩの記録位置を示すサーチポインタを置いても良い。
次に、コピー許可情報ＣＰＡは、その管理情報ＣＰＳの管理下にある音楽情報が複写許可とされているものであるか否かを示す情報であり、その値として具体的には、その音楽情報の複写が自由に行い得るものであるときは「０ｂ」とされ、その音楽情報の複写が禁止されているときは「１ｂ」とされる。
更に、移動許可情報ＭＶＡは、その管理情報ＣＰＳの管理下にある音楽情報が移動許可とされているものであるか否かを示す情報であり、その値として具体的には、その音楽情報の移動が自由に行い得るものであるときは「１ｂ」とされ、その音楽情報の移動が禁止されているときは「０ｂ」とされる。
また、各副情報管理情報ＳＭＧは、その管理情報ＣＰＳの管理下にある音楽情報に関連する静止画像情報又はテキスト情報に関する情報である。詳細は後述する。
そして、音楽識別情報ＣＰＩＤは、その管理情報ＣＰＳの管理下にある音楽情報自体を識別するための情報である。
次に、上述した各副情報管理情報ＳＭＧは、種類情報ＫＤと、識別情報ＣＩＤと、抑止情報フラグＲＦＧと、著作権フラグＣＰＦＧと、副情報管理情報ＳＭＧとしてのその他の情報である他情報ＥＴ１４と、により構成されている。
種類情報ＫＤは、後述する識別情報ＣＩＤにより識別される情報が静止画像情報であるか文字情報であるかを示す情報であり、その値として具体的には、識別情報ＣＩＤにより識別される情報が、静止画像情報であるときは「０１ｂ」とされ、文字情報であるときは「１０ｂ」とされる。
次に、識別情報ＣＩＤは、前記音楽識別情報ＣＰＩＤにより識別される音楽情報に関連する静止画像情報又は文字情報自体を識別するためのＩＤ情報である。
更に、抑止情報フラグＲＦＧは、前記音楽情報に関連付けられた静止画像情報又は文字情報の関連付けを一次的に抑止するのか否かを示すフラグである。そして、その値として具体的には、関連付けが一時的に抑止されているときは「１ｂ」とされ、関連付けが抑止されていないときは「０ｂ」とされる。
最後に、著作権フラグＣＰＦＧは、前記識別情報ＣＩＤにより識別される静止画像情報又は文字情報が著作権法上保護されるべきものであるか否かを示す情報であり、その値として具体的には、その静止画像情報又は文字情報が著作権法上保護されるべきものであるときは「１ｂ」とされ、著作権上保護されないものであるときは「０ｂ」とされる。
次に、管理情報ＣＰＳは、当該管理情報ＣＰＳの管理下にある情報が音楽情報でない場合（図４（ｂ））には、当該管理情報ＣＰＳは、種類情報ＫＤと、アドレス情報ＡＤＩと、識別情報ＣＩＤＤと、抑止情報フラグＲＦＧＤと、著作権フラグＣＰＦＧＤと、管理情報ＣＰＳとしてのその他の情報である他情報ＥＴ１５と、により構成されている。このとき、種類情報ＫＤは、後述する識別情報ＣＩＤＤにより識別される情報が静止画像情報であるか文字情報であるかを示す情報であり、その値として具体的には、識別情報ＣＩＤＤにより識別される情報が、静止画像情報であるときは「０１ｂ」とされ、文字情報であるときは「１０ｂ」とされる。
次に、アドレス情報ＡＤＩは、その管理情報ＣＰＳの管理下にある静止画像情報又は文字情報が所属する静止画群サーチポインタＳＳＰ（図１参照）の番号又はテキストデータ情報テーブルＴＸＴ内のテキストデータの位置を示すサーチポインタ（図示しない）の番号を示す情報である。識別情報ＣＩＤＤは、当該管理情報ＣＰＳにより管理される静止画像情報又は文字情報自体を識別するためのＩＤ情報である。
更に、抑止情報フラグＲＦＧＤは、前記音楽情報への静止画像情報又は文字情報の関連付けを一次的に抑止するのか否かを示すフラグである。そして、その値として具体的には、音楽情報への関連付けが抑止されているときは「１ｂ」とされ、音楽情報への関連付けが抑止されていないときは「０ｂ」とされる。
最後に、著作権フラグＣＰＦＧＤは、前記識別情報ＣＩＤＤにより識別される静止画像情報又は文字情報が著作権法上保護されるべきものであるか否かを示す情報であり、その値として具体的には、その静止画像情報又は文字情報が著作権法上保護されるべきものであるときは「１ｂ」とされ、著作権上保護されないものであるときは「０ｂ」とされる。
（ＩＩ）情報記録再生装置の実施形態
次に、以上説明した如き物理フォーマットに基づいて音楽情報並びにそれに関連付けられている静止画像情報又は文字情報を光ディスクＤＫに記録する機能を有すると共に、その音楽情報等が記録されている光ディスクＤＫから当該音楽情報等を再生する機能をも有する実施形態に係る情報記録再生装置の構成及び動作について、図５乃至図１６を用いて説明する。
初めに、当該情報記録再生装置の概要構成及び全体動作について、図５を用いて説明する。
実施形態に係る情報記録装置は、著作権法上の保護が施された上で外部の配信サーバから電子配信されて来る著作権情報を含む音楽情報と、それに関連付けられた著作権情報を含む静止画像情報又は文字情報（以下、当該静止画像情報又は文字情報とを、適宜静止画像情報等と称する）と、を光ディスクに記録すると共に、それら音楽情報及び静止画像情報等を当該光ディスクから再生して著作権法上の保護を保持しつつ他の光ディスクに移動する機能を有している。そして、この他に、当該情報記録再生装置は、図示しない入力端子を介してデジタルスチルカメラなどから入力されて来る著作権情報を含まない静止画像情報等を、既に記録されている音楽情報に関連付けて当該光ディスクに記録すると共に、その記録されている音楽情報を図示しない出力端子を介して外部のスピーカ等に出力し、更にその記録されている静止画像情報等をかかる音楽情報の再生に同期して図示しない出力端子を介して出力して外部のディスプレイ等に表示させる機能をも有している。
すなわち、図５に示すように、実施形態に係る情報記録装置Ｓは、スピンドルモータ１と、ピックアップ２と、復調部３と、スイッチ４及び１２と、オーディオ再生部５と、Ｄ／Ａ（Ｄｉｇｉｔａｌ／Ａｎａｌｏｇ）コンバータ７及び２２と、システムコントローラ８と、システムインタフェース９と、フォーマッタ１１と、Ａ／Ｄ（Ａｎａｌｏｇ／Ｄｉｇｉｔａｌ）コンバータ１３と、メモリ１４と、変調部１５と、サーボＩＣ（Ｉｎｔｅｇｒａｔｅｄ  Ｃｉｒｃｕｉｔ）１６と、情報解析部２０と、画像再生部２１と、により構成されている。
また、フォーマッタ１１は、スイッチ１１ｂと、記録データ生成器１１ａと、により構成されている。
更に、システムコントローラ８は、ナビゲーション情報生成器８ａ及びコピー情報判定生成器８ｂを含んでいる。
次に動作を説明する。
（Ａ）外部音源からの音楽情報又は外部画像源から静止画像情報等の記録動作の実施形態
初めに、著作権情報を含まない外部音源（より具体的には、例えば光ディスクプレーヤ等）又は著作権情報を含まない外部画像源（依り具体的には、例えば私用のデジタルスチルカメラ等）から出力されてくる音楽情報又は静止画像情報等を記録可能な光ディスクＤＫに記録する場合の動作について説明する。
なお、このとき、フォーマッタ１１内のスイッチ１１ｂはシステムコントローラ８からの制御信号Ｓｓｆに基づいてスイッチ１２側に切り換えられている。
先ず、当該外部音源から図示しない入力端子を介して入力された音楽情報が、アナログ信号である音楽情報Ｓｉｎａである場合には、当該音楽情報ＳｉｎａはＡ／Ｄコンバータ１３へ入力され、当該Ａ／Ｄコンバータ１３においてデジタル化された後、デジタル音楽情報Ｓａｄとしてスイッチ１２の第１の入力端子１２１に出力される。
一方、当該外部音源からの音楽情報が、元々デジタル信号である音楽情報Ｓｉｎｄである場合には、当該音楽情報Ｓｉｎｄはそのままスイッチ１２の第２の入力端子１２２に出力される。
更に、外部画像源からの静止画像情報等（通常はデジタル信号である）は、画像情報Ｓｉｎｖとしてスイッチ１２の第３の入力端子１２３に出力される。
そして、スイッチ１２は、システムコントローラ８からの制御信号Ｓｓｃ３に基づき、光ディスクＤＫに記録すべき音楽情報又は静止画像情報等として上記デジタル音楽情報Ｓａｄ又は音楽情報Ｓｉｎｄ或いは画像情報Ｓｉｎｖのいずれか一つを選択し、入力情報Ｓｉｎとしてスイッチ１１ｂの第１の入力端１１ｂ１子へ出力する。
これにより、スイッチ１２側に切り換えられているスイッチ１１ｂからは当該入力情報Ｓｉｎが入力情報Ｓｒｒとして記録データ生成器１１ａへ出力される。
他方、システムコントローラ８内のナビゲーション情報生成器８ａは、上記外部音源又は外部画像源から入力されてきた上記音楽情報Ｓｉｎａ又はＳｉｎｄ或いは画像情報Ｓｉｎｖの内容に基づいて、当該いずれかの音楽情報又は静止画像情報等を光ディスクＤＫに記録した後にこれを再生する際の再生態様（再生順序或いはいずれの音楽情報又は静止画像情報等を再生するか等）を制御するための制御情報（一般には、ナビゲーション情報と称される場合もあり、プログラムチェーン情報テーブルＰＧＴ内に格納されるものである）を上記した物理フォーマットに準拠するように生成し、制御情報Ｓｎｖとして記録データ生成器１１ａに出力する。
次に、記録データ生成器１１ａは、上記した入力情報Ｓｒｒと制御情報Ｓｎｖとを上述したフォーマットに準拠するように重畳し、重畳情報Ｓｍｘとして変調部１５へ出力する。
これにより、変調部１５は、当該重畳情報Ｓｍｘに基づいて、ピックアップ２から射出される記録用の光ビームＢを強度変調することで当該重畳情報Ｓｍｘを光ディスクＤＫに記録するための記録信号Ｓｒを生成し、ピックアップ２内の図示しない半導体レーザを駆動する図示しない半導体レーザ駆動部へ出力する。
この後、当該半導体レーザ駆動部は、記録信号Ｓｒの内容に対応して光ビームＢを強度変調するように当該半導体レーザを駆動して上記光ビームＢを射出させる。そして、当該光ビームＢが強度変調されつつ光ディスクＤＫ内の情報記録面に照射されることで、当該情報記録面内に記録信号Ｓｒの内容に対応して形状が変化する記録ピットが形成され、これにより、上記音楽情報Ｓｉｎａ又はＳｉｎｄ或いは画像情報Ｓｉｎｖが光ディスクＤＫに記録されることとなる。
このとき、上記情報記録面に対する垂直方向及び水平方向の光ビームＢの照射位置については、サーボＩＣ１６からの制御信号Ｓｓｐに基づき、当該垂直方向の照射位置（すなわち、光ビームＢの集光位置）はピックアップ２内の図示しないフォーカスアクチュエータが駆動することにより制御され、一方、当該水平方向の照射位置はピックアップ２内の図示しないトラッキングアクチュエータが駆動することにより制御される。
更に、スピンドルモータ１は、サーボＩＣ１６からの制御信号Ｓｓｍに基づいて光ディスクＤＫを予め設定された回転数となるように回転制御する。
そして、これらのため、サーボＩＣ１６は、システムコントローラ８からの制御信号Ｓｓｓに基づいて上記制御信号Ｓｓｍ及びＳｓｐを夫々生成して出力する。
（Ｂ）外部への再生出力動作の実施形態
次に、上記（Ａ）項において説明した動作により光ディスクＤＫに記録された音楽情報又は静止画像情報等を再生して外部スピーカ等又はディスプレイ等に出力する場合の動作について説明する。
なお、このとき、スイッチ４はシステムコントローラ８からの制御信号Ｓｓｃ１に基づいてオーディオ再生部５及び画像再生部２１側に切り換えられている。
先ず、当該再生処理時においては、スピンドルモータ１が、サーボＩＣ１６からの制御信号Ｓｓｍに基づいて光ディスクＤＫを予め設定された回転数となるように回転制御している。
そして、ピックアップ２内の図示しない上記半導体レーザからは、再生用の一定強度の光ビームＢが光ディスクＤＫの情報記録面に照射されている。このとき、当該情報記録面に対する垂直方向及び水平方向の光ビームＢの照射位置については、上記情報記録時と同様に、サーボＩＣ１６からの制御信号Ｓｓｐに基づき、ピックアップ２内の図示しないフォーカスアクチュエータ及びトラッキングアクチュエータが駆動することにより制御されている。
更に、これらのため、サーボＩＣ１６は、システムコントローラ８からの制御信号Ｓｓｓに基づいて上記制御信号Ｓｓｍ及びＳｓｐを夫々生成して出力する。
なお、光ディスクＤＫ上のいずれの位置から情報を再生するかについては、上述した記録処理により音楽情報又は静止画像情報等と共に記録されている制御情報の内容に基づいて再生すべき音楽情報又は静止画像情報等の光ディスクＤＫ上の記録位置を取得し、これに基づいて再生すべき音楽情報又は静止画像情報等が記録されている光ディスクＤＫ上の位置が特定されることとなる。
次に、上記情報記録面に照射された光ビームＢは、当該情報記録面に形成されている上記記録ピットにより変調され、その反射光がピックアップ２内の図示しない光検出器により受光される。そして、当該光検出器により受光された反射光の強度変化に対応して変化する検出信号Ｓｐｐが生成され、復調部３へ出力される。
その後、復調部３は、検出信号Ｓｐｐに対して予め設定された復調処理を施して復調信号Ｓｐを生成し、これをオーディオ再生部５及び画像再生部２１側に切り換えられているスイッチ４を介してオーディオ再生部５及び画像再生部２１へ出力する。
これにより、オーディオ再生部５は、当該復調信号Ｓｐに含まれている音楽情報成分に対して予め設定された再生処理を施してデジタル信号としての再生信号Ｓｏｕｔｄを生成し、これをそのまま図示しないデジタル出力端子を介して外部のスピーカ等へ出力すると共にＤ／Ａコンバータ７へ出力する。
そして、Ｄ／Ａコンバータ７は、当該再生信号Ｓｏｕｔｄをアナログ化し、アナログ再生信号Ｓｏｕｔａとして図示しないアナログ出力端子を介して外部の他のスピーカ等へ出力する。
他方、画像再生部２１は、当該復調信号Ｓｐに含まれている静止画像情報等成分に対して予め設定された再生処理を施してデジタル信号としての再生信号Ｓｏｔｖｄを生成し、これをそのまま図示しないデジタル出力端子を介して外部のディスプレイ等へ出力すると共にＤ／Ａコンバータ２２へ出力する。
そして、Ｄ／Ａコンバータ２２は、当該再生信号Ｓｏｔｖｄをアナログ化し、アナログ再生信号Ｓｏｔｖａとして図示しないアナログ出力端子を介して外部の他のディスプレイ等へ出力する。
（Ｃ）著作権保護に基づいた音楽情報及び静止画像情報等の記録動作の実施形態
次に、外部の図示しない配信サーバから電子配信されてくる、ＤＲＭ情報など著作権情報を含む音楽情報及び当該音楽情報に関連する著作権情報を含む静止画像情報を光ディスクＤＫに記録するときの情報記録動作について説明する。
なお、このとき、フォーマッタ１１内のスイッチ１１ｂは、システムコントローラ８からの制御信号Ｓｓｆに基づいてシステムインタフェース９側の何れかに切り換えられている。また、スイッチ４はシステムコントローラ８からの制御信号Ｓｓｃ１に基づいて端子４１側に切り換えられている。
先ず、当該配信サーバから図示しない入力端子を介して入力された音楽情報Ｓｉｎｅは、システムインタフェース９において予め設定されているインタフェース処理が施された後、スイッチ１１ｂの第２の入力端子１１ｂ２に出力される。
また、当該配信サーバから図示しない入力端子を介して入力された静止画像情報等である画像情報Ｓｉｎｖｅは、システムインタフェース９において上記インタフェース処理が施された後、スイッチ１１ｂの第３の入力端子１１ｂ３に出力される。
そして、スイッチ１１ｂは、当該音楽情報Ｓｉｎｅ又は画像情報Ｓｉｎｖｅをそのまま入力情報Ｓｒｒとして記録データ生成器１１ａへ出力する。
そして、記録データ生成器１１ａは、当該入力情報Ｓｒｒに対して何ら処理を施すことなく、これを重畳情報Ｓｍｘとして変調部１５へ出力する。
これにより、変調部１５は、当該重畳情報Ｓｍｘに基づいて記録用の光ビームＢを強度変調することで当該重畳情報Ｓｍｘを光ディスクＤＫに記録するための記録信号Ｓｒを生成し、ピックアップ２内の上記半導体レーザ駆動部へ出力する。
この後、当該半導体レーザ駆動部は、記録信号Ｓｒの内容に対応して光ビームＢを強度変調するように当該半導体レーザを駆動して上記光ビームＢを射出させる。そして、当該光ビームＢが強度変調されつつ光ディスクＤＫ内の情報記録面に照射されることで、当該情報記録面内に記録信号Ｓｒの内容に対応して形状が変化する記録ピットが形成され、これにより、上記音楽情報Ｓｉｎｅ又は画像情報Ｓｉｎｖｅがそのままの形態で配信データとして光ディスクＤＫに記録されることとなる。
このとき、上記情報記録面に対する垂直方向及び水平方向の光ビームＢの照射位置については、上述した（Ａ）著作権情報を含まない音楽情報や静止画像情報等の記録動作の場合と同様に、ピックアップ２内のフォーカスアクチュエータ及びトラッキングアクチュエータが駆動することにより制御される。
更に、スピンドルモータ１は、上述した（Ａ）外部音源からの音楽情報又は外部画像源から静止画像情報等の記録動作からの記録動作の場合と同様に、サーボＩＣ１６からの制御信号Ｓｓｍに基づいて光ディスクＤＫを予め設定された回転数となるように回転制御する。
そして、これらのため、サーボＩＣ１６は、システムコントローラ８からの制御信号Ｓｓｓに基づいて上記制御信号Ｓｓｍ及びＳｓｐを夫々生成して出力する。
一方、上記音楽情報Ｓｉｎｅ又は画像情報Ｓｉｎｖｅに関する著作権を管理するための管理情報（具体的には、上記保護情報ＣＰとして光ディスクＤＫに記録されるべき著作権の管理情報）は、当該音楽情報Ｓｉｎｅ又は画像情報Ｓｉｎｖｅと共に上記サーバからシステムインタフェース９へ入力され、当該システムインタフェース９において音楽情報Ｓｉｎｅ又は画像情報Ｓｉｎｖｅから分離され、管理情報Ｓｃｐｐとしてコピー情報判定生成器８ｂへ出力される。そして、当該コピー情報判定生成器８ｂにより、上述してきた物理フォーマットに則ってフォーマッタ１１、変調部１５及びピックアップ２を介して光ディスクＤＫに記録される。
次に、上述した一連の動作により光ディスクＤＫに記録された上記配信データ（上記音楽情報Ｓｉｎｅ及び画像情報Ｓｉｎｖｅを含む配信データ）を他の再生装置等に移動する場合の動作について説明する。
なお、このとき、スイッチ４はシステムコントローラ８からの制御信号Ｓｓｃ１に基づいてシステムインタフェース９側（端子４１）に切り換えられている。
当該移動の処理を実行する場合には、初めに、スピンドルモータ１が、サーボＩＣ１６からの制御信号Ｓｓｍに基づいて光ディスクＤＫを予め設定された回転数となるように回転制御している。
そして、ピックアップ２内の図示しない上記半導体レーザからは、再生用の一定強度の光ビームＢが光ディスクＤＫの情報記録面に照射されている。このとき、当該情報記録面に対する垂直方向及び水平方向の光ビームＢの照射位置については、上記情報記録時と同様に、サーボＩＣ１６からの制御信号Ｓｓｐに基づき、ピックアップ２内の図示しないフォーカスアクチュエータ及びトラッキングアクチュエータが駆動することにより制御されている。
なお、光ディスクＤＫ上のいずれの位置から配信データを再生するかについては、上述した記録処理により音楽情報又は静止画像情報等と共に記録されている制御情報の内容に基づいて再生すべき配信データの光ディスクＤＫ上の記録位置を取得し、これに基づいて再生すべき上記配信データが記録されている光ディスクＤＫ上の位置が特定されることとなる。
次に、上記情報記録面に照射された光ビームＢは、当該情報記録面に形成されている上記記録ピットにより変調され、その反射光がピックアップ２内の図示しない光検出器により受光され、上記検出信号Ｓｐｐが生成されて復調部３へ出力される。
そして、復調部３は、検出信号Ｓｐｐに対して予め設定された復調処理を施して復調信号Ｓｐを生成し、これを情報解析部２０へ出力する。
次に、情報解析部２０は、復調信号Ｓｐから上記管理情報Ｓｃｐｐを抽出し、これをシステムインタフェースに出力すると共に、当該復調信号Ｓｐ自体をスイッチ４を介してシステムインタフェース９へ出力する。
そして、システムインタフェース９は当該復調信号Ｓｐに対して予め設定されているインタフェース処理を施すと共に当該インタフェース処理後の復調信号Ｓｐに対して上記管理情報Ｓｃｐｐを重畳し、音楽情報Ｓｏｕｔｅ及び画像情報Ｓｏｔｖｅとして他の再生装置等に移動する。このとき、当該移動された後の配信データは光ディスクＤＫ上からは消去又は無効化されることとなる。
（Ｄ）実施形態に係る記録動作
次に、上記した一連の記録動作のうち、実施形態にかかる記録動作について、全体的な動作を図６乃至図９を用いて説明する。
なお、図６乃至図８は当該記録動作を示すフローチャートであり、図９は当該記録動作に伴って変化する情報の当該変化態様を示す模式図である。
初めに、静止画像情報等が関連付けられていない著作権情報を含む音楽情報のみを光ディスクＤＫに記録する場合の情報記録再生装置Ｓの動作を、図６を用いて説明する。
当該記録動作においては、先ず、システムインタフェース９を介して送信されてきた音楽情報Ｓｉｎｅを上記オーディオオブジェクトＡＯＢ（図３参照）としてオーディオ情報ＡＤ（図１参照）内に記録する（ステップＳ１）。
次に、上記オーディオデータ情報テーブルＡＤＴ（図１参照）を更新し（ステップＳ２）、更に、上記プログラムチェーン情報テーブルＰＧＴ内のプログラム情報ＰＧＩ及びセル情報ＣＩ（図２参照）として新たに記録した音楽情報Ｓｉｎｅに対応する内容を追加する（ステップＳ３）。
次に、保護情報ＣＰの更新として、先ず、管理情報数情報ＣＰＮ（図４（ａ）参照）の値「ｋ」を取得し（ステップＳ４）、追加する管理情報ＣＰＳの記録開始位置を示す管理情報サーチポインタＣＰＳＰ（図４（ａ）参照）を新規に作成し、そのサーチポインタ番号を「ｋ＋１」とする（ステップＳ５）。
そして、対応するｋ＋１番目の管理情報ＣＰＳにおける種類情報ＫＫ（図４（ａ）参照）の値を対応するオブジェクトデータが音楽情報であることを示す「００ｂ」とし（ステップＳ６）、更に、存在情報フラグＳＦＧの値を、音楽情報とかかる音楽情報に関連する静止画像情報等が光ディスクＤＫ上に存在しないことを示す「００ｂ」に設定する（ステップＳ７）。
次に、当該新たに記録した音楽情報Ｓｉｎｅが属することとなるプログラムの番号をプログラム番号ＰＧＮ（図４（ａ）参照）として設定する（ステップＳ８）。
そして、新たに記録した音楽情報Ｓｉｎｅに含まれた管理情報Ｓｃｐｐを参照して、記録したオーディオオブジェクトＡＯＢが以後複写禁止であるか否かを確認する（ステップＳ９）。
記録したオーディオオブジェクトＡＯＢが複写禁止であるときは（ステップＳ９；ＹＥＳ）、対応する管理情報ＣＰＳ内のコピー許可情報ＣＰＡ（図４（ａ）参照）の値を「１ｂ」とし、複写禁止でないときは（ステップＳ９；ＮＯ）、当該コピー許可情報ＣＰＡの値を「０ｂ」とする（ステップＳ１１）。次に、新たに記録した音楽情報Ｓｉｎｅにおける管理情報Ｓｃｐｐを参照して、記録したオーディオオブジェクトＡＯＢが移動許可であるか否かを確認する（ステップＳ１２）。
記録したオーディオオブジェクトＡＯＢが移動許可であるときは（ステップＳ１２；ＹＥＳ）、対応する管理情報ＣＰＳ内の移動許可情報ＭＶＡ（図４（ａ）参照）の値を「１ｂ」とし（ステップＳ１４）、移動許可でないときは（ステップＳ１２；ＮＯ）、当該移動許可情報ＭＶＡの値を「０ｂ」とする（ステップＳ１３）。次に、新たに記録した音楽情報Ｓｉｎｅを識別するための音楽識別情報ＣＰＩＤ（図４（ａ）参照）を上記管理情報Ｓｃｐｐを参照して設定する（ステップＳ１５）。なお、管理情報Ｓｃｐｐ内に、新たに記録した音楽情報Ｓｉｎｅを識別するためのＩＤ番号を含まない場合、情報記録再生装置がランダム番号発生装置等によりユニークなＩＤ番号を自己生成する。
そして、上記管理情報数情報ＣＰＮの値を更新（以前の値に＋１する）し（ステップＳ１６）、更に、その他の必要な情報を設定して、更新された保護情報ＣＰを光ディスクＤＫに記録し（ステップＳ１７）、当該音楽情報Ｓｉｎｅの新規記録処理を完了する。
次に、図６に示す処理により音楽情報Ｓｉｎｅが記録された光ディスクＤＫに対し、静止画像情報を記録された音楽情報Ｓｉｎｅに関連付けて追加記録する場合の処理について、図７及び図８を用いて説明する。
当該追加記録処理としては、先ず、システムインタフェース９を介して送信されてきた画像情報Ｓｉｎｖｅを静止画データＳＴＬ（図３参照）として静止画情報ＳＴ（図１参照）内に記録し（ステップＳ２０）、対応する静止画データ情報テーブルＳＴＴ（図３参照）を追加更新する（ステップＳ２１）。
次に、先に記録したオーディオオブジェクトＡＯＢに対応するプログラム情報ＰＧＩの静止画サーチポインタ情報ＰＮＭ及び静止画群表示モード定義情報ＭＤ（図２参照）を更新する（ステップＳ２２）。
次に、保護情報ＣＰの更新として、先ず、管理情報数情報ＣＰＮ（図４（ａ）参照）の値「ｋ」を取得し（ステップＳ２３。）、追加する管理情報ＣＰＳの記録開始位置を示す管理情報サーチポインタＣＰＳＰ（図４参照）を新規に作成し、そのサーチポインタ番号を「ｋ＋１」とする（ステップＳ２４）。
そして、対応するｋ＋１番目の管理情報ＣＰＳにおける種類情報ＫＤ（図４（ｂ）参照）の値を静止画像情報を示す「０１ｂ」とし（ステップＳ２５）、更に、当該管理情報ＣＰＳにおけるアドレス情報ＡＤＩに、対応する静止画データ群ＳＵＶ（図３参照）の番号を設定する（ステップＳ２６）。
次に、新たに記録した静止画データＳＴＬを識別するための識別情報ＣＩＤＤ（図４（ｂ）参照）を上記管理情報Ｓｃｐｐを参照して設定する（ステップＳ２７）。なお、管理情報Ｓｃｐｐ内に、新たに記録した画像情報Ｓｉｎｖｅを識別するためのＩＤ番号を含まない場合、情報記録再生装置がランダム番号発生装置等によりユニークなＩＤ番号を自己生成する。
次に、新たに記録した画像情報Ｓｉｎｖｅの音楽情報への関連付けを一時的に抑止するか否かが判定される（ステップＳ２８）。
この抑止判定は、かかる画像情報Ｓｉｎｖｅの記録を行う操作者の設定によるものあり、ステップＳ２８の判定において、関連付けを抑止しないよう設定されているときは（ステップＳ２８；ＹＥＳ）、対応する管理情報ＣＰＳ内の抑止情報フラグＲＦＧＤ（図４（ｂ）参照）を「０ｂ」とし（ステップＳ２９）、一方、関連付けを一時的に抑止するよう設定されているときは（ステップＳ２８；ＮＯ）、当該抑止情報フラグＲＦＧＤ（図４（ｂ）参照）を「１ｂ」とする（ステップＳ３０）。次に、画像情報Ｓｉｎｖｅに含まれた管理情報Ｓｃｐｐを参照して、記録した静止画データＳＴＬが著作権法上保護されているものであるか否かを確認する（ステップＳ３１）。
これにより、その静止画データＳＴＬが著作権法上保護されているときは（ステップＳ３１；ＹＥＳ）、対応する管理情報ＣＰＳ内の著作権フラグＣＰＦＧＤ（図４（ｂ）参照）の値を「１ｂ」とし（ステップＳ３３）、一方、その画像情報Ｓｉｎｖｅが著作権法上保護されていないときは（ステップＳ３１；ＮＯ）、当該著作権フラグＣＰＦＧＤの値を「０ｂ」とする（ステップＳ３２）。
そして、その他の必要な情報を記録し（ステップＳ３４）、更に上記管理情報数情報ＣＰＮの値を更新する（ステップＳ３５）。
次に、上述した静止画データＳＴＬが関連付けられたオーディオオブジェクトＡＯＢを管理する管理情報ＣＰＳ（図４（ａ）参照）を取得する（ステップＳ３６）。以下、この管理情報ＣＰＳを管理情報Ａと仮称する。
そして、当該管理情報Ａ内の存在情報フラグＳＦＧの値を「１０ｂ」、すなわち、音楽情報とかかる音楽情報に関連する静止画像情報が光ディスクＤＫ上に存在することを示す値に更新し（ステップＳ３７）、新たな画像情報Ｓｉｎｖｅに対応する副情報管理情報ＳＭＧを上記管理情報Ａたる管理情報ＣＰＳ内に追加する（ステップＳ３８）。このステップＳ３８の処理については後ほど図８を用いて詳述する。
次に、更に記録処理すべき画像情報Ｓｉｎｖｅがあるか否かを確認し（ステップＳ３９）、追加記録すべき画像情報Ｓｉｎｖｅがないときは（ステップＳ３９；ＮＯ）、前述により更新された保護情報ＣＰを光ディスクに記録して（ステップＳ４０）追加記録処理を終了する。一方、更に追加記録すべき画像情報Ｓｉｎｖｅがあるときは（ステップＳ３９；ＹＥＳ）、上記した一連の処理を当該新たなに追加記録すべき画像情報Ｓｉｎｖｅに対して実行すべく上記ステップＳ２０に戻って今まで述べてきた処理を繰り返す。
次に、上記ステップＳ３８の処理について、図８を用いて詳述する。
図８に示すように、上記ステップＳ３８における副情報管理情報ＳＭＧの追加処理においては、初めに、新たに追加すべき副情報管理情報ＳＭＧ内の種類情報ＫＤの値を、静止画像情報を示す「０１ｂ」とし（ステップＳ４０）、次に、先に記録した静止画データＳＴＬを識別するための識別情報ＣＩＤ（図４（ａ）参照）を先の識別情報ＣＩＤＤと同じ値に設定する（ステップＳ４１）。
次に、上述したステップＳ２８乃至Ｓ３０の処理結果に基づいて、当該静止画データＳＴＬの関連付けを一時的に抑止するか否か再度確認し（ステップＳ４２）、抑止するときは（ステップＳ４２；ＹＥＳ）、上記抑止情報フラグＲＦＧを「１ｂ」に設定し（ステップＳ４４）、一方、抑止しないときは（ステップＳ４２；ＮＯ）、上記抑止情報フラグＲＦＧを「０ｂ」に設定する（ステップＳ４３）。
次に、新たに記録した画像情報Ｓｉｎｖｅにおける管理情報Ｓｃｐｐを参照して、記録した静止画データＳＴＬが著作権法上保護されているものであるか否かを確認する（ステップＳ４５）。
これにより、その静止画データＳＴＬが著作権法上保護されているときは（ステップＳ４５；ＹＥＳ）、対応する管理情報ＣＰＳ内の著作権フラグＣＰＦＧ（図４（ａ）参照）の値を「１ｂ」とし（ステップＳ４７）、一方、その静止画データＳＴＬが画像情報Ｓｉｎｖｅが著作権法上保護されていないときは（ステップＳ４５；ＮＯ）、当該著作権フラグＣＰＦＧの値を「０ｂ」とする（ステップＳ４６）。
そして、その他の必要な情報を副情報管理情報ＳＭＧ内に記録し（ステップＳ４８）、元のステップＳ３９へ移行する。
次に、図６乃至図８を用いて説明した音楽情報Ｓｉｎｅ及び画像情報Ｓｉｎｖｅを記録する際の保護情報ＣＰにおける各情報の値の変化について、具体的に図９を用いて説明する。
先ず、図６乃至図８に示すフローチャートに基づいて、著作権が保護されている音楽情報Ｓｉｎｅ及び当該著作権に基づいて当該音楽情報Ｓｉｎｅに関連付けられている画像情報Ｓｉｎｖｅ（当該画像情報Ｓｉｎｖｅ自体も著作権により保護されているものとする）を記録した後の保護情報ＣＰの内容について、図９（ａ）を用いて説明する。
著作権が保護されている音楽情報Ｓｉｎｅ（オーディオオブジェクトＡＯＤ１）及びこれに関連付けられている第一の画像情報Ｓｉｎｖｅ（第１静止画データＳＴＬ１）を光ディスクＤＫ上に記録した後においては、先ず、保護情報ＣＰ内にはオーディオオブジェクトＡＯＤ１に付随する第１管理情報ＣＰＳ１（図４（ａ）に示される構造からなる）が設定され、その存在情報フラグＳＦＧの内容は、オーディオオブジェクトＡＯＤ１と、当該オーディオオブジェクトＡＯＤ１に関連付けられている第１静止画データＳＴＬ１と、が共に光ディスクＤＫ上に存在することを示す値「１０ｂ」となっており、音楽識別情報ＣＰＩＤの内容は当該音楽情報Ｓｉｎｅ自体を識別するための値（図９（ａ）の場合は「ａａａ」なる値）となっている。また、オーディオオブジェクトＡＯＤ１に関連する第１静止画データＳＴＬ１の記録に伴い、第１管理情報ＣＰＳ１内には、第１副情報管理情報ＳＭＧ１が設定され、その抑止情報フラグＲＦＧ１の内容は第１静止画データＳＴＬ１の関連付けを抑止しない旨の値「０ｂ」となっており、著作権フラグＣＰＦＧ１の内容は関連付けられている第１静止画データＳＴＬ１が著作権により保護されている旨の値「１ｂ」となっており、識別情報ＣＩＤ１の内容は第１静止画データＳＴＬ１自体を識別するための値（図９（ａ）の場合は「ＺＺＺ」なる値）となっている。
また、保護情報ＣＰ内には第１静止画データＳＴＬ１に付随する第２管理情報ＣＰＳ２（図４（ｂ）に示される構造からなる）が設定され、その抑止情報フラグＲＦＧＤの内容は第１静止画データＳＴＬ１の関連付けを抑止しない旨の値「０ｂ」となっており、同じく第一の著作権フラグＣＰＦＧＤ１の内容は関連付けられている第１静止画データＳＴＬ１が著作権により保護されている旨の値「１ｂ」となっており、同じく第一のアドレス情報ＡＤＩ１の内容はその第１静止画データＳＴＬ１が属する第１静止画群サーチポインタＳＳＰ１を識別するためのポインタ番号（図９（ａ）の場合は「＃１」なる値）となっており、同じく第一の識別情報ＣＩＤＤ１の内容はその第１静止画データＳＴＬ１自体を識別するための値（図９（）の場合は上記第一の識別情報ＣＩＤ１と同じ値である「ＺＺＺ」なる値）となっている。
次に、上述した図９（ａ）に示される記録状態にある光ディスクＤＫに、新たに著作権により保護されていない私用のデジタルスチルカメラ等からの第二の画像情報Ｓｉｎｖ（第２静止画データＳＴＬ２）を当該音楽情報Ｓｉｎｅに関連付けて記録した後の保護情報ＣＰの内容について、図９（ｂ）を用いて説明する。
オーディオオブジェクトＡＯＤ１に関連する第２静止画データＳＴＬ２の追加記録に伴い、オーディオオブジェクトＡＯＤ１に付随する第１管理情報ＣＰＳ１内には、更に第２副情報管理情報ＳＭＧ２が追加され、その抑止情報フラグＲＦＧ２の内容は第１静止画データＳＴＬ２の関連付けを抑止しない旨の値「０ｂ」となっており、著作権フラグＣＰＦＧ２の内容は関連付けられている第２静止画データＳＴＬ２が著作権により保護されていない旨の値「０ｂ」となっており、識別情報ＣＩＤ２の内容は第２静止画データＳＴＬ２自体を識別するための値（図９（ｂ）の場合は「ＹＹＹ」なる値）となっている。
また、オーディオオブジェクトＡＯＤ１に関連する第２静止画データＳＴＬ２の追加記録に伴い、保護情報ＣＰ内には、更に第２静止画データＳＴＬ１に付随する第３管理情報ＣＰＳ３（図４（ｂ）に示される構造からなる）が追加され、その抑止情報フラグＲＦＧＤ２の内容は第２静止画データＳＴＬ２の関連付けを抑止しない旨の値「０ｂ」となっており、著作権フラグＣＰＦＧＤ２の内容は関連付けられている第２静止画データＳＴＬ２が著作権により保護されていない旨の値「０ｂ」となっており、識別情報ＣＩＤＤ２の内容は第２静止画データＳＴＬ２自体を識別するための値（図９（ｂ）の場合は「ＹＹＹ」なる値）となっている。
上述した図９（ｂ）に示される記録状態にある光ディスクＤＫに、更に新たに著作権により保護されている第三の画像情報Ｓｉｎｖｅ（第３静止画データＳＴＬ３）を当該音楽情報Ｓｉｎｅ（オーディオオブジェクトＡＯＤ１）に関連付けて記録した後の保護情報ＣＰの内容について、図９（ｃ）を用いて説明する。
図９（ｃ）に示すように、オーディオオブジェクトＡＯＤ１に関連する第３静止画データＳＴＬ２の追加記録に伴い、オーディオオブジェクトＡＯＤ１に付随する第１管理情報ＣＰＳ１内には、更に第３副情報管理情報ＳＭＧ３が追加され、その抑止情報フラグＲＦＧ３の内容は第３静止画データＳＴＬ３の関連付けを抑止しない旨の値「０ｂ」となっており、著作権フラグＣＰＦＧ３の内容は関連付けられている第３静止画データＳＴＬ３が著作権により保護されている旨の値「１ｂ」となっており、識別情報ＣＩＤ３の内容は第３静止画データＳＴＬ３自体を識別するための値（図９（ｃ）の場合は「ＫＫＫ」なる値）となっている。
また、オーディオオブジェクトＡＯＤ１に関連する第３静止画データＳＴＬ３の追加記録に伴い、保護情報ＣＰ内には、更に第３静止画データＳＴＬ１に付随する第４管理情報ＣＰＳ４（図４（ｂ）に示される構造からなる）が追加され、その抑止情報フラグＲＦＧＤ３の内容は第３静止画データＳＴＬ３の関連付けを抑止しない旨の値「０ｂ」となっており、著作権フラグＣＰＦＧＤ３の内容は関連付けられている第３静止画データＳＴＬ３が著作権により保護されている旨の値「１ｂ」となっており、識別情報ＣＩＤＤ３の内容は第３静止画データＳＴＬ３自体を識別するための値（図９（ｂ）の場合は「ＫＫＫ」なる値）となっている。
（Ｅ）実施形態の再生動作
次に、実施形態に係る再生動作について、図１０を用いて説明する。なお、図１０は当該再生動作を示すフローチャートである。
実施形態の再生動作においては、図１０に示すように、先ず、再生すべきオーディオオブジェクトＡＯＢを決定すると（ステップＳ５０）、次に、管理情報ＭＧ内のプログラムチェーン情報テーブルＰＧＴを参照して当該決定したオーディオオブジェクトＡＯＢに対応する静止画群情報ＳＶを取得する（ステップＳ５１）。
次に、当該静止画群情報ＳＶにより示される静止画データ群ＳＵＶ内に含まれている全ての静止画データＳＴＬをメモリ１４内に読み込み（ステップＳ５２）、更に当該読み込んだ静止画データＳＴＬに対応する管理情報ＣＰＳ（図４（ｂ））を取得する（ステップＳ５３）。
そして、当該取得した管理情報ＣＰＳにおける存在情報フラグＳＦＧを参照して、かかるオーディオオブジェクトＡＯＢに関連付けられている静止画データＳＴＬが光ディスクＤＫ上に存在するか否かを確認する（ステップＳ５４）。これにより、関連付けられている静止画データＳＴＬが存在しない時は（ステップＳ５４；ＮＯ）、ステップＳ５０により決定したオーディオオブジェクトＡＯＢをプログラムチェーン情報テーブルＰＧＴの記述に従って再生し（ステップＳ５５）、一連の再生処理を終了する。
一方、ステップＳ５４の判定において、関連付けられている静止画データＳＴＬが光ディスク上に存在するときは（ステップＳ５４；ＹＥＳ）、同様に、決定したオーディオオブジェクトＡＯＢを再生しつつ（ステップＳ５５）、かかるオーディオオブジェクトＡＯＢに対応する管理情報ＣＰＳ（図４（ａ））の副情報管理情報ＳＭＧにおける抑止情報フラグＲＦＧＤを確認し（ステップＳ５６）、関連する静止画データの関連付けが一時的に抑止されていないか否かを確認する（ステップＳ５７）。
そして、抑止情報フラグＲＦＧＤが関連する静止画データの関連付けを抑止しない値「０」のときは（ステップＳ５７；ＹＥＳ）、その関連付けられている静止画データＳＴＬを再生し（ステップＳ５８）、他方、抑止情報フラグＲＦＧＤが関連する静止画データの関連付けを一時的に抑止する値「１」のときには（ステップＳ５７；ＮＯ）、その関連付けられている静止画データＳＴＬを再生することなく、次に位置する副情報管理情報ＳＭＧの有無等により次に表示すべき静止画データＳＴＬがあるか否かを判断する（ステップＳ５９）。
これにより、次に同期再生すべき静止画データＳＴＬがないときは（ステップＳ５９；ＮＯ）そのまま再生処理を終了し、一方、次に同期再生すべき静止画データＳＴＬがあるときは（ステップＳ５９；ＹＥＳ）、当該次の副情報管理情報ＳＭＧの抑止情報フラグＲＦＧＤを確認し（ステップＳ６０）、上記ステップＳ５７に戻って当該次に同期再生すべき静止画データＳＴＬについて上述してきた処理を繰り返す。
（Ｆ）実施形態の移動処理
次に、音楽情報Ｓｉｎｅが画像情報Ｓｉｎｖｅに関連付けられて光ディスクＤＫに記録されている場合にこれらを他の光ディスクに移動する移動処理について、図１１乃至図１６を用いて説明する。
なお、図１１は当該移動処理の前提となる事項を説明する図であり、図１２乃至図１６は当該移動処理の種々の形態を示す図である。
先ず、以下に説明する移動処理の前提事項について、図１１を用いて説明する。
以下の実施形態では、当該移動処理の例として、図１１に示すように、上記図９（ｃ）により示した態様で、音楽情報Ｓｉｎｅ（オーディオオブジェクトＡＯＢ１）、第一の画像情報Ｓｉｎｖｅ（第１静止画データＳＴＬ１）、第二の画像情報Ｓｉｎｖｅ（第２静止画データＳＴＬ２）及び第三の画像情報Ｓｉｎｖｅ（第３静止画データＳＴＬ３）が、夫々に対応する管理情報ＣＰＳ１〜ＣＰＳ４と共に記録されている光ディスクＤＫに対して以下の処理を以下の順番で行う場合の実施形態について説明する。
▲１▼  光ディスクＤＫ上において、オーディオオブジェクトＡＯＢ１に対する第３静止画データＳＴＬ３の関連付けを一時的に抑止する。
▲２▼  次に、実施形態に係る情報記録再生装置Ｓを用いて、光ディスクＤＫ上のオーディオオブジェクトＡＯＢ１のみを当該光ディスクＤＫ上から読み出し、これを対応する管理情報ＣＰＳ１と共に第二の光ディスクＤＫ２へ移動する。このとき、光ディスクＤＫ２への当該オーディオオブジェクトＡＯＢ１の記録処理は、実施形態の情報記録再生装置Ｓと同様の構成及び動作を有する他の情報記録再生装置により実行される。
▲３▼  次に、実施形態に係る情報記録再生装置Ｓと同様の他の情報記録再生装置を用いて、光ディスクＤＫ２上のオーディオオブジェクトＡＯＢ１を当該光ディスクＤＫ２上から読み出し、これを対応する管理情報ＣＰＳ１と共に第三の光ディスクＤＫ３へ移動する。このとき、光ディスクＤＫ３への当該オーディオオブジェクトＡＯＢ１の記録処理も、実施形態の情報記録再生装置Ｓと同様の構成及び動作を有する更に他の情報記録再生装置により実行される。
▲４▼  次に、光ディスクＤＫ３上に移動した音楽情報Ｓｉｎｅについて、新たに第四の画像情報を追加して関連付ける。このとき、光ディスクＤＫ３への当該第四の画像情報の追加記録処理も、上記他の情報記録再生装置により実行される。
▲５▼  最後に、光ディスクＤＫ上に残置している第１静止画データＳＴＬ１、第２静止画データＳＴＬ２及び第３静止画データＳＴＬ３を夫々付随する管理情報ＣＰＳ２〜４と共に光ディスクＤＫ３上に移動し、当該光ディスクＤＫ３上において音楽情報Ｓｉｎｅに対する関連付けを元の通りに復活する。このとき、光ディスクＤＫ３への各画像情報の移動処理も、上記他の情報記録再生装置により実行される。
▲１▼  初めに、上記光ディスクＤＫ上において、第３静止画データＳＴＬ３とオーディオオブジェクトＡＯＢ１との間に形成されている関連付けを一時的に解消する関連付け解消処理について、図１２を用いて説明する。
前提となる光ディスクＤＫには、オーディオオブジェクトＡＯＤ１と、第１静止画データＳＴＬ１乃至第３静止画データＳＴＬ３と、オーディオオブジェクトＡＯＤ１に付随する管理情報ＣＰＳ１と、各静止画データＳＴＬ１乃至ＳＴＬ３に夫々付随する管理情報ＣＰＳ２乃至ＣＰＳ４と、が記録されている。
各管理情報ＣＰＳ１乃至ＣＰＳ４は、上記図９（ｃ）と同一の態様を備え、管理情報ＣＰＳ１は、存在情報フラグＳＦＧと、第一の抑止情報フラグＲＦＧ１、第一の著作権フラグＣＰＦＧ１及び第一の識別情報ＣＩＤ１を含む第１副情報管理情報ＳＭＧ１と、第二の抑止情報フラグＲＦＧ２、第二の著作権フラグＣＰＦＧ２及び第二の識別情報ＣＩＤ２を含む第２副情報管理情報ＳＭＧ２と、第三の抑止情報フラグＲＦＧ３、第三の著作権フラグＣＰＦＧ３及び第三の識別情報ＣＩＤ３とを含む第３副情報管理情報ＳＭＧ３と、音楽識別情報ＣＰＩＤと、を含む。管理情報ＣＰＳ２は、第一の抑止情報フラグＲＦＧＤ１、第一の著作権フラグＣＰＦＧＤ１、第一のアドレス情報ＡＤ１１及び第一の識別情報ＣＩＤＤ１を含む。管理情報ＣＰＳ３は第二の抑止情報フラグＲＦＧＤ２、第二の著作権フラグＣＰＦＧＤ２、第二のアドレス情報ＡＤＩ２及び第二の識別情報ＣＩＤＤ２を含む。
管理情報ＣＰＳ４は第三の抑止情報フラグＲＦＧＤ３、第三の著作権フラグＣＰＦＧＤ３、第三のアドレス情報ＡＤＩ３及び第三の識別情報ＣＩＤＤ３を含む。
この状態で第３静止画データＳＴＬ３とオーディオオブジェクトＡＯＢ１との間の関連付けを解消する場合には、図１２左に示すように、先ず、当該関連付けを解消するオーディオオブジェクトＡＯＢ１及び第３静止画データＳＴＬ３を指定し（ステップＳ６１、Ｓ６２）、それらの関連付けを解消する（ステップＳ６３）。このステップＳ６３の処理について具体的には、図１２右に示すように、当該オーディオオブジェクトＡＯＢ１に対応する管理情報ＣＰＳ１の第３副管理情報ＳＭＧ３の第三の抑止情報フラグＲＦＧ３と、当該第３静止画データＳＴＬ３に対応する管理情報ＣＰＳ４の第三の抑止情報フラグＲＦＧＤ３の値を光ディスクＤＫ上において「０ｂ」から「１ｂ」に変更する。これにより、オーディオオブジェクトＡＯＢ１と第３静止画データＳＴＬ３とは夫々の管理情報ＣＰＳ上で関連付けが一時的に解消されたこととなる。
▲２▼  次に、上記光ディスクＤＫ上のオーディオオブジェクトＡＯＢ１を当該光ディスクＤＫ上から読み出し、これを第二の光ディスクＤＫ２へ移動する第一の移動処理について、図１３を用いて説明する。
図１３左に示すように、先ず、当該移動するオーディオオブジェクトＡＯＢ１を指定し（ステップＳ６５）、更にその移動先を光ディスクＤＫ２と指定する（ステップＳ６６）。
次に、光ディスクＤＫ上において、移動するオーディオオブジェクトＡＯＢ１と各静止画データＳＴＬ１〜３との関連付けを抑止する（ステップＳ６７）。このステップＳ６７の処理について具体的には、図１３右に示すように、当該オーディオオブジェクトＡＯＢ１に対応する管理情報ＣＰＳ１の存在情報フラグＳＦＧを、オーディオオブジェクトと当該オーディオオブジェクトに関連する静止画データが光ディスク上に存在しないことを示す値、即ち「１０ｂ」から、「００ｂ」に変更すると共に、副管理情報ＳＭＧ１及びＳＭＧ２の抑止情報フラグＲＦＧ１及びＲＦＧ２の値を共に関連付けを一時的に抑止する状態、即ち「０ｂ」から「１ｂ」に変更する。また同様に、関連する静止画データＳＴＬ１及びＳＴＬ２に対応する管理情報ＣＰＳ２及びＣＰＳ３の抑止情報フラグＲＦＧＤ１及びＲＦＧＤ２を何れも「０ｂ」から「１ｂ」に変更する。
そして、関連付けが解消されたオーディオオブジェクトＡＯＢ１を対応する管理情報ＣＰＳ１と共に光ディスクＤＫ２に移動する（ステップＳ６８）。
▲３▼  次に、上記第二の光ディスクＤＫ２上のオーディオオブジェクトＡＯＢ１を当該光ディスクＤＫ２上から読み出し、これを対応する管理情報ＣＰＳ１と共に第三の光ディスクＤＫ３へ更に移動する第二の移動処理について、図１４を用いて説明する。
なお、移動元となる光ディスクＤＫ２には、オーディオオブジェクトＡＯＤ１と、かかるオーディオオブジェクトＡＯＤ１に付随する管理情報ＣＰＳ１が記録されていることになる。
図１４左に示すように、先ず、当該移動するオーディオオブジェクトＡＯＢ１を指定し（ステップＳ７０）、更にその移動先を光ディスクＤＫ３と指定する（ステップＳ７１）。そして、当該オーディオオブジェクトＡＯＢ１及び対応する管理情報ＣＰＳ１を現状の値のまま光ディスクＤＫ３に移動する（ステップＳ７２）。
▲４▼  次に、上記光ディスクＤＫ３上に移動したオーディオオブジェクトＡＯＢ１に対して、第四の画像情報（第４静止画データＳＴＬ４）を追加して関連付ける関連付け処理について、図１５を用いて説明する。
図１５左に示すように、先ず、当該関連付けるオーディオオブジェクトＡＯＢ１を光ディスクＤＫ３上において指定し（ステップＳ７５）、更に新たな第４静止画データＳＴＬ４を光ディスクＤＫ３に記録する（ステップＳ７６）。そして、光ディスクＤＫ３上において、記録した第４静止画データＳＴＬ４をオーディオオブジェクトＡＯＢ１に関連付ける（ステップＳ７７）。
このステップＳ７７の処理において具体的には、当該第４静止画データＳＴＬ４に付随する管理情報として、図１５右に示すように、「０ｂ」の値を持つ第四の抑止情報フラグＲＦＧＤ４、「１ｂ」の値を持つ第四の著作権フラグＣＰＦＧＤ４、「＃４」の値を持つ第四のアドレス情報ＡＤＩ４及び「ＭＭＭ」の値を持つ第四の識別情報ＣＩＤＤ４を含む管理情報ＣＰＳ５を新たに生成し、光ディスクＤＫ３上に記録する。また、光ディスクＤＫ３上に記録されているオーディオオブジェクトＡＯＢ１に付随する管理情報ＣＰＳ１内に、第４静止画データＳＴＬ４に対応する第４副情報管理情報ＳＭＧ４を追加する。この第４副情報管理情報ＳＭＧ４は、上述の管理情報ＣＰＳ５と同様に、「０ｂ」の値を持つ第四の抑止情報フラグＲＦＧ４と「１ｂ」の値を持つ第四の著作権フラグＣＰＦＧ４及び「ＭＭＭ」の値を持つ第四の識別情報ＣＩＤ４を含む。
▲５▼  最後に、最初の光ディスクＤＫ上に残置している静止画データＳＴＬ１乃至ＳＴＬ３を夫々付随する管理情報ＣＰＳ２乃至ＣＰＳ４と共に光ディスクＤＫ３上に移動し、当該光ディスクＤＫ３上においてオーディオオブジェクトＡＯＢ１に対して関連付ける第二の移動処理について、図１６を用いて説明する。
当該第二の移動処理の実行前においては、光ディスクＤＫには、静止画データＳＴＬ１乃至ＳＴＬ３と、当該静止画データＳＴＬ１乃至ＳＴＬ３に付随する管理情報ＣＰＳ２乃至ＣＰＳ４と、が記録されている。一方、光ディスクＤＫ３上には、オーディオオブジェクトＡＯＢ１と、当該オーディオオブジェクトＡＯＢ１に付随する管理情報ＣＰＳ１と、静止画データＳＴＬ４と、当該静止画データＳＴＬ４に付随する管理情報ＣＰＳ５と、が記録されている。
図１６左に示すように、先ず、静止画データＳＴＬ１乃至ＳＴＬ３を関連づけるオーディオオブジェクトＡＯＢ１を指定し（ステップＳ８０）、その指定したオーディオオブジェクトＡＯＢ１に付随する管理情報ＣＰＳ１の内容を確認する（ステップＳ８１）。このとき、ステップＳ８１においては、当該管理情報ＣＰＳ１の副情報管理情報ＳＭＧ１乃至ＳＭＧ４のうち、抑止情報フラグＲＦＧの値が「１ｂ」とされている画像情報の識別情報ＣＩＤ（図１６の場合は、識別情報ＣＩＤ１、識別情報ＣＩＤ２及び識別情報ＣＩＤ３）を確認する。
そして、ステップＳ８１における確認結果を用いて、光ディスクＤＫから移動してくる静止画データを、第１静止画データＳＴＬ１、第２静止画データＳＴＬ２及び第３静止画データＳＴＬ３であると特定し（ステップＳ８２）、特定した各静止画データＳＴＬ１乃至ＳＴＬ３を、付随する管理情報ＣＰＳ２乃至ＣＰＳ４と共に移動する（ステップＳ８３）。
その後、光ディスクＤＫ３上において、移動してきた各静止画データＳＴＬ１乃至ＳＴＬ３とオーディオオブジェクトＡＯＢ１との関連付けを復活させる（ステップＳ８４）。このステップＳ８４の処理において具体的には、新たに移動してきた各静止画データＳＴＬ１乃至ＳＴＬ３に対応する管理データＣＰＳ２乃至ＣＰＳ４の抑止情報フラグＲＦＧＤ１乃至ＲＦＧＤ３の値と、後から光ディスクＤＫ３に記録された静止画データＳＴＬ４に対応する管理データＣＰＳ５の抑止情報フラグＲＦＧＤ４の値と、を、夫々現状の「１ｂ」から夫々「０ｂ」に変更して光ディスクＤＫ３に記録し、また、オーディオオブジェクトＡＯＢ１に付随する管理情報ＣＰＳ１内にある、静止画データＳＴＬ１乃至ＳＴＬ３に対応する副情報管理情報ＳＭＧ１乃至ＳＭＧ３の抑止情報フラグＲＦＧＤ１乃至乃至ＲＦＧＤ３の値を、夫々「１ｂ」から「０ｂ」に変更する。以上により、光ディスクＤＫ３上においてオーディオオブジェクトＡＯＢ１に対する各静止画データＳＴＬ１〜３の関連付けが復活される。
なお、光ディスクＤＫ２上のオーディオオブジェクトＡＯＢ１を当該光ディスクＤＫ２上から読み出し、これを対応する管理情報ＣＰＳ１と共に元の光ディスクＤＫに戻す場合、先ず、光ディスクＤＫ２上のオーディオオブジェクトＡＯＢ１を指定し、更にその戻り先を光ディスクＤＫと指定する。次に、指定されたオーディオオブジェクトＡＯＢ１とそれに付随する管理情報ＣＰＳ１とを、戻り先の光ディスクＤＫに移動する。そして、戻り先の光ディスクＤＫに記録された管理情報ＣＰＳ１の存在フラグＳＦＧを「００ｂ」から「１０ｂ」に変更し、また副管理情報ＳＭＧ１〜３の抑止情報フラグを全て「１ｂ」から「０ｂ」に変更する。更に、静止画データＳＴＬ１〜３に付随している管理情報ＣＰＳ２〜４の抑止情報フラグを全て「１ｂ」から「０ｂ」に変更する。以上により、光ディスクＤＫ上のオーディオオブジェクトＡＯＢ１と静止画データＳＴＬ１〜３との関連付けが復元する。
なお、本発明は上述の実施形態に限定されるものでなく、種々の変形を行うことができる。例えば、上述した実施形態によれば、図４（ａ）、（ｂ）に示される構造を持つ管理情報ＣＰＳであったが、夫々を図１７（ａ）、（ｂ）に示される構造を持つ管理情報ＣＰＳに変更することもできる。以下、その詳細を説明する。
図１７（ａ）に示されるように、オーディオオブジェクトに付随する管理情報ＣＰＳは、図４（ａ）に示される管理情報に対して、副情報フラグＳＦＧと副情報管理情報ＳＭＧ１〜ｎがなく、代わりとして対応するオーディオオブジェクトを識別するための識別情報ＡＩＤを含む。一方、静止画データに付随する管理情報ＣＰＳは、図４（ａ）に示される管理情報に対して、関連するオーディオオブジェクトが同一の光ディスク上に存在するか否かを示す存在情報フラグＳＦＧと、関連するオーディオオブジェクトを識別するための識別情報ＡＩＤと、を更に含む。
以上の構成によれば、例えば、オーディオオブジェクトＡＯＤ１とそれに関連する静止画データＳＴＬ１とが記録されている光ディスクＤＫ上から、オーディオオブジェクトＡＯＤ１を他の光ディスクＤＫ１に移動する場合、オーディオオブジェクトＡＯＤに付随する光ディスクＤＫ上の管理情報ＣＰＳ１は消去され、光ディスクＤＫに残存する静止画データＳＴＬ１に付随する管理情報ＣＰＳ２は、その存在情報ＳＦＧの値が「１０ｂ」から「００ｂ」に変更され、抑止情報フラグＲＦＧＤの値が「０ｂ」から「１ｂ」に変更される。
その後、再び光ディスクＤＫ１に記録されたオーディオオブジェクトＡＯＤ１を元の光ディスクＤＫに戻す場合、光ディスクＤＫ１上の管理情報ＣＰＳ１は消去され、光ディスクＤＫ１にはオーディオオブジェクトＡＯＤ１とそれに付随する管理情報ＣＰＳ１が記録される。なお、この管理情報ＣＰＳ１の存在情報ＳＦＧの値は「１０ｂ」とされ、抑止情報フラグＲＦＧの値は「０ｂ」とされる。また、光ディスクＤＫに記録されている管理情報ＣＰＳ２は、その存在情報ＳＦＧの値が「００ｂ」から「１０ｂ」に変更され、抑止情報フラグＲＦＧＤの値が「１ｂ」から「０ｂ」に変更される。以上により、光ディスクＤＫ上のオーディオオブジェクトＡＯＢ１と静止画データＳＴＬ１との関連付けが復元する。
なお、上述の実施形態においては、画像情報を音楽情報に関連付ける場合について説明したが、当該画像情報に代えて文字情報を音楽情報に関連付けるように構成することも勿論できる。
更に、図６、図７、図８、図１０又は図１２乃至図１６に記載のフローチャートに対応するプログラムをフレキシブルディスクに記録しておき、又はインターネット等のネットワークを介して取得したものを記録しておき、これらを汎用のマイクロコンピュータ等により読み出して実行することにより、当該マイクロコンピュータ等を実施形態に係るシステムコントローラ８として実行させることもできる。
【図面の簡単な説明】
図１は、実施形態に係る物理フォーマットを示す図（Ｉ）である。
図２は、実施形態に係る物理フォーマットを示す図（ＩＩ）である。
図３は、実施形態に係る物理フォーマットを示す図（ＩＩＩ）である。
図４は、実施形態に係る物理フォーマットを示す図（ＩＶ）である。
図５は、実施形態に係る情報記録再生装置の概要構成を示すブロック図である。
図６は、実施形態に係る音楽情報等の記録処理を示すフローチャート（Ｉ）である。
図７は、実施形態に係る音楽情報等の記録処理を示すフローチャート（ＩＩ）である。
図８は、実施形態に係る音楽情報等の記録処理を示すフローチャート（ＩＩＩ）である。
図９は、実施形態の記録処理における管理情報の変化を示し図であり、（ａ）は当該変化を示す図（Ｉ）であり、（ｂ）は当該変化を示す図（ＩＩ）であり、（ｃ）は当該変化を示す図（ＩＩＩ）である。
図１０は、実施形態に係る音楽情報等の再生処理を示すフローチャートである。
図１１は、実施形態に係る音楽情報等の移動処理の前提条件を示す図である。
図１２は、実施形態に係る音楽情報等の移動処理を例示する図（Ｉ）である。
図１３は、実施形態に係る音楽情報等の移動処理を例示する図（ＩＩ）である。
図１４は、実施形態に係る音楽情報等の移動処理を例示する図（ＩＩＩ）である。
図１５は、実施形態に係る音楽情報等の移動処理を例示する図（ＩＶ）である。
図１６は、実施形態に係る音楽情報等の移動処理を例示する図（Ｖ）である。
図１７は、図４の変形例を示す図である。
【図１】
2003092002.tif 000003
【図２】
2003092002.tif 000004
【図３】
2003092002.tif 000005
【図４】
2003092002.tif 000006
【図５】
2003092002.tif 000007
【図６】
2003092002.tif 000008
【図７】
2003092002.tif 000009
【図８】
2003092002.tif 000010
【図９】
2003092002.tif 000011
【図１０】
2003092002.tif 000012
【図１１】
2003092002.tif 000013
【図１２】
2003092002.tif 000014
【図１３】
2003092002.tif 000015
【図１４】
2003092002.tif 000016
【図１５】
2003092002.tif 000017
【図１６】
2003092002.tif 000018
【図１７】
2003092002.tif 000019
【手続補正書】
【提出日】平成16年2月9日(2004.2.9)
【手続補正１】
【補正対象書類名】特許請求の範囲
【補正対象項目名】全文
【補正方法】変更
【補正の内容】
【特許請求の範囲】
【請求項１】
主情報と副情報とを記録媒体に記録する情報記録装置において、
前記主情報に関連する前記副情報を識別するための識別情報と、
前記主情報と前記主情報に関連する副情報とが同一の前記記録媒体上に存在するか否かを示し、前記主情報が他の記録媒体上に移動される時、前記主情報と前記主情報に関連する副情報が同一の前記記録媒体上に存在しないことを示す内容に書き換えられる存在情報と、
を前記記録媒体に記録すること特徴とする情報記録装置。
【請求項２】
請求項１に記載の情報記録装置は、更に、
前記副情報に対する著作権有無を示す著作権有無情報を記録することを特徴とする情報記録装置。
【請求項３】
請求項１に記載の情報記録装置において、
他の記録媒体に移動された主情報を、前期記録媒体上に戻す時、前記存在情報を、前記主情報と前記主情報に関連する副情報が同一の前記記録媒体上に存在する内容に書き換えることを特徴とする情報記録装置。
【請求項４】
請求項１に記載の情報記録装置は、更に、
前記主情報に関連する前記副情報の関連付けを一時的に抑止するか否かを示す抑止情報を記録することを特徴とする情報記録装置。
【請求項５】
主情報と、副情報と、前記主情報に関連する前記副情報を識別するための識別情報と、前記主情報と前記主情報に関連する副情報が同一の前記記録媒体上に存在するか否かを示し、前記主情報が他の記録媒体上に移動される時、前記主情報と前記主情報に関連する副情報が同一の前記記録媒体上に存在しないことを示す内容に書き換えられる存在情報と、が記録されている記録媒体を再生する情報再生装置であり、
前記識別情報と前記存在情報とに基づいて、前記主情報に関連して再生可能な副情報を特定し、特定した副情報を前記主情報に関連して再生することを特徴とする情報再生装置。
【請求項６】
請求項５に記載の情報再生装置において、
前記記録媒体は更に、前記主情報に関連する前記副情報の関連付けを一時的に抑止するか否かを示す抑止情報が記録されており、
前記情報再生装置は、前記抑止情報に基づいて、前記特定した副情報の内、関連付けが抑止されていない副情報のみを前記主情報に関連して再生することを特徴とする情報再生装置。
【請求項７】
主情報と副情報とが記録される記録媒体であり、
前記主情報に関連する前記副情報を識別するための識別情報と、前記主情報と前記主情報に関連する副情報が同一の前記記録媒体上に存在するか否かを示し、前記主情報が他の記録媒体上に移動される時、前記主情報と前記主情報に関連する副情報が同一の前記記録媒体上に存在しないことを示す内容に書き換えられる存在情報と、を記録する領域を備えることを特徴とする記録媒体。
【請求項８】
請求項７に記載の記録媒体は、更に、
前記副情報に対する著作権有無を示す著作権有無情報を記録する領域を備えることを特徴とする記録媒体。
【請求項９】
主情報と副情報とを記録媒体に記録する情報記録方法において、
前記主情報と、当該主情報に関連して再生可能な副情報と、を前記記録媒体に記録する工程と、
前記主情報に関連する前記副情報を識別するための識別情報と、前記主情報と前記主情報に関連する副情報が同一の前記記録媒体上に存在するか否かを示し、前記主情報が他の記録媒体上に移動される時、前記主情報と前記主情報に関連する副情報が同一の前記記録媒体上に存在しないことを示す内容に書き換えられる存在情報と、を前記記録媒体に記録する工程と、
を備えること特徴とする情報記録方法。
【請求項１０】
請求項９に記載の情報記録方法は、更に、
前記副情報に対する著作権有無を示す著作権有無情報を記録することを特徴とする情報記録方法。
【請求項１１】
主情報と、副情報と、前記主情報に関連する前記副情報を識別するための識別情報と、前記主情報と前記主情報に関連する副情報が同一の前記記録媒体上に存在するか否かを示し、前記主情報が他の記録媒体上に移動される時、前記主情報と前記主情報に関連する副情報が同一の前記記録媒体上に存在しないことを示す内容に書き換えられる存在情報と、が記録されている記録媒体を再生する情報再生方法であり、
前記識別情報と前記存在情報とに基づいて、前記主情報に関連する副情報を特定する工程と、
前記特定した副情報を前記主情報に関連して再生する工程と、
を備えることを特徴とする情報再生方法。
【請求項１２】
請求項１１に記載の情報再生方法において、
前記記録媒体は更に、前記主情報に関連する前記副情報の関連付けを一時的に抑止するか否かを示す抑止情報が記録されており、
前記再生工程は、前記抑止情報に基づいて、前記特定した副情報の内、関連付けが抑止されていない副情報のみを前記主情報に関連して再生することを特徴とする情報再生方法。
【請求項１３】
主情報と副情報とを記録媒体に記録する情報記録装置に備えられているコンピュータを制御する記録制御用プログラムであって、
該コンピュータを、前記主情報に関連する前記副情報を識別するための識別情報と、前記主情報と前記主情報に関連する副情報が同一の前記記録媒体上に存在するか否かを示し、前記主情報が他の記録媒体上に移動される時、前記主情報と前記主情報に関連する副情報が同一の前記記録媒体上に存在しないことを示す内容に書き換えられる存在情報と、を前記記録媒体に記録する記録手段、
として機能させることを特徴とする記録制御用プログラム。
【請求項１４】
請求項１３に記載の記録制御用プログラムは、更に、
前記コンピュータを、前記副情報に対する著作権有無を示す著作権有無情報を記録する手段として機能させることを特徴とする情報記録方法。
【請求項１５】
請求項１３に記載の記録制御用プログラムが前記コンピュータで読取可能に記録されている情報記録媒体。
【請求項１６】
主情報と、副情報と、前記主情報に関連する前記副情報を識別するための識別情報と、前記主情報と前記主情報に関連する副情報が同一の前記記録媒体上に存在するか否かを示し、前記主情報が他の記録媒体上に移動される時、前記主情報と前記主情報に関連する副情報が同一の前記記録媒体上に存在しないことを示す内容に書き換えられる存在情報と、が記録されている記録媒体を再生する情報再生装置に備えられているコンピュータを制御する再生制御用プログラムであって、
前記識別情報と前記存在情報とに基づいて、前記主情報に関連して再生可能な副情報を特定する特定手段と、
該特定した副情報を前記主情報に関連して再生する再生手段と、
として機能させることを特徴とする再生制御用プログラム。
【請求項１７】
請求項１６に記載の再生制御用プログラムであって、
前記記録媒体は更に、前記主情報に関連する前記副情報の関連付けを一時的に抑止するか否かを示す抑止情報が記録されており、
前記再生手段は、前記抑止情報に基づいて、前記特定した副情報の内、関連付けが抑止されていない副情報のみを前記主情報に関連して再生することを特徴とする再生制御用プログラム。
【請求項１８】
請求項１６に記載の再生制御用プログラムが前記コンピュータで読取可能に記録されている情報記録媒体。
【手続補正２】
【補正対象書類名】明細書
【補正対象項目名】０００２
【補正方法】変更
【補正の内容】
【０００２】
用いたい等の要求が高まってきている。
しかしながら、上記した如き音楽情報の移動に伴う静止画像の取り扱いについては、従来何ら規定されていなかった。
従って、例えばパーソナルコンピュータに記録された音楽情報を携帯型のオーディオレコーダに移動すると、パーソナルコンピュータ内に静止画像が取り残されて、その静止画像に対する著作権保護が十分に為されないとか、再び携帯型のオーティオレコーダから音楽情報をパーソナルコンピュータに戻す（ムーブバックと呼ばれる）と、再び音楽情報と静止画像との関連付けを復元できない等という問題点などが生じた。
発明の開示
そこで、本発明は、上記の問題点に鑑みて為された情報記録装置、情報再生装置、情報記録方法、情報再生方法、記録制御用プログラム、再生制御用プログラム並びに情報記録媒体及び当該主情報及び副情報が記録された記録媒体を提供することにある。
上記の課題を解決するために、第一の本発明は、主情報と副情報とを記録媒体に記録する情報記録装置において、前記主情報に関連する前記副情報を識別するための識別情報と、前記主情報と前記主情報に関連する副情報とが同一の前記記録媒体上に存在するか否かを示し、前記主情報が他の記録媒体上に移動される時、前記主情報と前記主情報に関連する副情報が同一の前記記録媒体上に存在しないことを示す内容に書き換えられる存在情報と、を前記記録媒体に記録することを特徴とする情報記録装置により、上述した課題を解決した。
この第一の本発明によれば、主情報に関連する副情報を識別するための識別情報と、主情報と当該主情報に関連する副情報とが同一の記録媒体上に存在するか否かを示す存在情報と、をその記録媒体に記録するので、主情報と、副情報と、が相互に別個に他の記録媒体に移動された後においても、その主情報と、当該主情報に関連付けて再生されるべき副情報と、の対応関係を正確に保持して夫々が保護されている著作権を保持することができる。また、主情報が他の記録媒体上に移動される時、存在情報が、主情報と主情報に関連する副情報が同一の記録媒


【手続補正３】
【補正対象書類名】明細書
【補正対象項目名】０００３
【補正方法】変更
【補正の内容】
【０００３】
体上に存在しないことを示す内容に書き換えられるので、主情報と副情報とが別個に移動されてきた後であっても、その移動前の相互の関連付けの関係をその移動前の状態に復活することができる。
更に、第一の本発明の好ましい第一の態様は、前記副情報に対する著作権の有無を示す著作権有無情報を更に記録することを特徴とする。
この一態様によれば、識別情報及び存在情報に加えて著作権有無情報を更に記録するので、副情報に対する著作権の有無に応じて主情報との対応関係を保持することができる。
また、上記第一の本発明の第三の態様は、他の記録媒体に移動された主情報を、前記記録媒体上に戻す時、前記存在情報を、前記主情報と前記主情報に関連する副情報が同一の前記記録媒体上に存在する内容に書き換えることを特徴とする。
この一態様によれば、他の記録媒体に移動された主情報を、記録媒体上に戻す時、存在情報を、主情報とこれに関連する副情報が同一の記録媒体上に存在する内容に書き換えるので、主情報と副情報とが別個に移動されてきた後であっても、その移動前の相互の関連付けの関係をその移動前の状態に復活することができる。
更に、第一の本発明の好ましい第四の態様は、前記主情報に関連する前記副情報の関連付けを一時的に抑止するか否かを示す抑止情報を更に記録することを特徴とする。
この一態様によれば、主情報に関連する副情報の関連付けを一時的に抑止するか否かを示す抑止情報を更に記録するので、関連付けが抑止されている場合にその旨を容易に認識することができる。
上記の課題を解決するために、第二の本発明は、主情報と、副情報と、前記主情報に関連する前記副情報を識別するための識別情報と、前記主情報と前記主情報に関連する副情報が同一の前記記録媒体上に存在するか否かを示し、前記主情報が他の記録媒体上に移動される時、前記主情報と前記主情報に関連する副情報が同一の前記記録媒体上に存在しないことを示す内容に書き換えられる存在情報と、が記録されている記録媒体を再生する情報再生装置であり、前記識別情報と前記存在情報とに基づいて、前記主情報に関連して再生可能な副情報を特定し、


【手続補正４】
【補正対象書類名】明細書
【補正対象項目名】０００４
【補正方法】変更
【補正の内容】
【０００４】
特定した副情報を前記主情報に関連して再生することを特徴とする情報再生装置により、上述した課題を解決した。
この第二の本発明によれば、識別情報と存在情報とに基づいて、主情報に関連して再生可能な副情報を特定し、特定した副情報を主情報に関連して再生するので、主情報と、当該主情報に関連付けて再生されるべき副情報と、の対応関係を正確に保持して夫々が保護されている著作権を保持することができる。また、主情報が他の記録媒体上に移動される時、存在情報が、主情報と主情報に関連する副情報が同一の記録媒体上に存在しないことを示す内容に書き換えられているので、主情報と副情報とが別個に移動されてきた後であっても、その移動前の相互の関連付けの関係をその移動前の状態に復活することができる。
更に、第二の本発明の好ましい第一の態様は、前記記録媒体は更に、前記主情報に関連する前記副情報の関連付けを一時的に抑止するか否かを示す抑止情報が記録されており、前記情報再生装置は、前記抑止情報に基づいて、前記特定した副情報の内、関連付けが抑止されていない副情報のみを前記主情報に関連して再生することを特徴とする。
この一態様によれば、抑止情報に基づいて、特定した副情報の内、関連付けが抑止されていない副情報のみを主情報に関連して再生するので、関連付けが抑止されている場合にその抑止状態を遵守して再生されるべき副情報を再生することができる。
上記の課題を解決するために、第三の本発明は、主情報と副情報とが記録される記録媒体であり、前記主情報に関連する前記副情報を識別するための識別情報と、前記主情報と前記主情報に関連する副情報が同一の前記記録媒体上に存在するか否かを示し、前記主情報が他の記録媒体上に移動される時、前記主情報と前記主情報に関連する副情報が同一の前記記録媒体上に存在しないことを示す内容に書き換えられる存在情報と、を記録する領域を備えることを特徴とする記録媒体により、上述した課題を解決した。
この第三の本発明によれば、主情報に関連する副情報を識別するための識別情報と、主情報と当該主情報に関連する副情報とが同一の記録媒体上に存在するか否かを示す存在情報と、がその記録媒体に記録されているので、主情報と、副情


【手続補正５】
【補正対象書類名】明細書
【補正対象項目名】０００５
【補正方法】変更
【補正の内容】
【０００５】
報と、が相互に別個に他の記録媒体に移動された後においても、その主情報と、当該主情報に関連付けて再生されるべき副情報と、の対応関係を正確に保持して夫々が保護されている著作権を保持することができる。また、主情報が他の記録媒体上に移動される時、存在情報が、主情報と主情報に関連する副情報が同一の記録媒体上に存在しないことを示す内容に書き換えられるので、主情報と副情報とが別個に移動されてきた後であっても、その移動前の相互の関連付けの関係をその移動前の状態に復活することができる。
更に、第三の本発明の好ましい第一の態様は、前記副情報に対する著作権の有無を示す著作権有無情報を記録する領域を更に備えることを特徴とする。
この一態様によれば、識別情報及び存在情報に加えて著作権有無情報を更に記録するので、副情報に対する著作権の有無に応じて主情報との対応関係を保持することができる。
上記の課題を解決するために、第四の本発明は、主情報と副情報とを記録媒体に記録する情報記録方法において、前記主情報と、当該主情報に関連して再生可能な副情報と、を前記記録媒体に記録する工程と、前記主情報に関連する前記副情報を識別するための識別情報と、前記主情報と前記主情報に関連する副情報が同一の前記記録媒体上に存在するか否かを示し、前記主情報が他の記録媒体上に移動される時、前記主情報と前記主情報に関連する副情報が同一の前記記録媒体上に存在しないことを示す内容に書き換えられる存在情報と、を前記記録媒体に記録する工程と、を備えること特徴とする情報記録方法により、上述した課題を解決した。
この第四の本発明によれば、主情報に関連する副情報を識別するための識別情報と、主情報と当該主情報に関連する副情報とが同一の記録媒体上に存在するか否かを示す存在情報と、をその記録媒体に記録するので、主情報と、副情報と、が相互に別個に他の記録媒体に移動された後においても、その主情報と、当該主情報に関連付けて再生されるべき副情報と、の対応関係を正確に保持して夫々が保護されている著作権を保持することができる。また、主情報が他の記録媒体上に移動される時、存在情報が、主情報と主情報に関連する副情報が同一の記録媒体上に存在しないことを示す内容に書き換えられるので、主情報と副情報とが別


【手続補正６】
【補正対象書類名】明細書
【補正対象項目名】０００６
【補正方法】変更
【補正の内容】
【０００６】
個に移動されてきた後であっても、その移動前の相互の関連付けの関係をその移動前の状態に復活することができる。
更に、第四の本発明の好ましい第一の態様は、前記副情報に対する著作権の有無を示す著作権有無情報を更に記録することを特徴とする。
この一態様によれば、識別情報及び存在情報に加えて著作権有無情報が更に記録されているので、副情報に対する著作権の有無に応じて主情報との対応関係を保持することができる。
上記の課題を解決するために、第五の本発明は、主情報と、副情報と、前記主情報に関連する前記副情報を識別するための識別情報と、前記主情報と前記主情報に関連する副情報が同一の前記記録媒体上に存在するか否かを示し、前記主情報が他の記録媒体上に移動される時、前記主情報と前記主情報に関連する副情報が同一の前記記録媒体上に存在しないことを示す内容に書き換えられる存在情報と、が記録されている記録媒体を再生する情報再生方法であり、前記識別情報と前記存在情報とに基づいて、前記主情報に関連する副情報を特定する工程と、前記特定した副情報を前記主情報に関連して再生する工程と、を備えることを特徴とする情報再生方法により、上述した課題を解決した。
この第五の本発明によれば、識別情報と存在情報とに基づいて、主情報に関連して再生可能な副情報を特定し、特定した副情報を主情報に関連して再生するので、主情報と、当該主情報に関連付けて再生されるべき副情報と、の対応関係を正確に保持して夫々が保護されている著作権を保持することができる。また、主情報が他の記録媒体上に移動される時、存在情報が、主情報と主情報に関連する副情報が同一の記録媒体上に存在しないことを示す内容に書き換えられるので、主情報と副情報とが別個に移動されてきた後であっても、その移動前の相互の関連付けの関係をその移動前の状態に復活することができる。
更に、第五の本発明の好ましい第一の態様は、前記記録媒体は更に、前記主情報に関連する前記副情報の関連付けを一時的に抑止するか否かを示す抑止情報が記録されており、前記再生工程は、前記抑止情報に基づいて、前記特定した副情報の内、関連付けが抑止されていない副情報のみを前記主情報に関連して再生することを特徴とする。


【手続補正７】
【補正対象書類名】明細書
【補正対象項目名】０００７
【補正方法】変更
【補正の内容】
【０００７】
この一態様によれば、抑止情報に基づいて、特定した副情報の内、関連付けが抑止されていない副情報のみを主情報に関連して再生するので、関連付けが抑止されている場合にその抑止状態を遵守して再生されるべき副情報を再生することができる。
上記の課題を解決するために、第六の本発明は、主情報と副情報とを記録媒体に記録する情報記録装置に備えられているコンピュータを制御する記録制御用プログラムであって、該コンピュータを、前記主情報に関連する前記副情報を識別するための識別情報と、前記主情報と前記主情報に関連する副情報が同一の前記記録媒体上に存在するか否かを示し、前記主情報が他の記録媒体上に移動される時、前記主情報と前記主情報に関連する副情報が同一の前記記録媒体上に存在しないことを示す内容に書き換えられる存在情報と、を前記記録媒体に記録する記録手段、として機能させることを特徴とする記録制御用プログラムにより、上述した課題を解決した。
この第六の本発明によれば、主情報に関連する副情報を識別するための識別情報と、主情報と当該主情報に関連する副情報とが同一の記録媒体上に存在するか否かを示す存在情報と、をその記録媒体に記録するようにコンピュータが機能するので、主情報と、副情報と、が相互に別個に他の記録媒体に移動された後においても、その主情報と、当該主情報に関連付けて再生されるべき副情報と、の対応関係を正確に保持して夫々が保護されている著作権を保持することができる。また、主情報が他の記録媒体上に移動される時、存在情報が、主情報と主情報に関連する副情報が同一の記録媒体上に存在しないことを示す内容に書き換えられるので、主情報と副情報とが別個に移動されてきた後であっても、その移動前の相互の関連付けの関係をその移動前の状態に復活することができる。
更に、第六の本発明の好ましい第一の態様は、前記コンピュータを、前記副情報に対する著作権の有無を示す著作権有無情報を記録する手段として更に機能させることを特徴とする。
この一態様によれば、識別情報及び存在情報に加えて著作権有無情報を更に記録するようにコンピュータが機能するので、副情報に対する著作権の有無に応じて主情報との対応関係を保持することができる。


【手続補正８】
【補正対象書類名】明細書
【補正対象項目名】０００８
【補正方法】変更
【補正の内容】
【０００８】
上記の課題を解決するために、第七の本発明は、上記第六の発明の記録制御用プログラムが前記コンピュータで読取可能に記録されている情報記録媒体により、上述した課題を解決した。
この第七の本発明によれば、記録されている第六の発明をコンピュータで読み出して実行することにより、主情報に関連する副情報を識別するための識別情報と、主情報と当該主情報に関連する副情報とが同一の記録媒体上に存在するか否かを示す存在情報と、をその記録媒体に記録するように当該コンピュータが機能するので、主情報と、副情報と、が相互に別個に他の記録媒体に移動された後においても、その主情報と、当該主情報に関連付けて再生されるべき副情報と、の対応関係を正確に保持して夫々が保護されている著作権を保持することができる。また、主情報が他の記録媒体上に移動される時、存在情報が、主情報と主情報に関連する副情報が同一の記録媒体上に存在しないことを示す内容に書き換えられるので、主情報と副情報とが別個に移動されてきた後であっても、その移動前の相互の関連付けの関係をその移動前の状態に復活することができる。
上記の課題を解決するために、第八の本発明は、主情報と、副情報と、前記主情報に関連する前記副情報を識別するための識別情報と、前記主情報と前記主情報に関連する副情報が同一の前記記録媒体上に存在するか否かを示し、前記主情報が他の記録媒体上に移動される時、前記主情報と前記主情報に関連する副情報が同一の前記記録媒体上に存在しないことを示す内容に書き換えられる存在情報と、が記録されている記録媒体を再生する情報再生装置に備えられているコンピュータを制御する再生制御用プログラムであって、前記識別情報と前記存在情報とに基づいて、前記主情報に関連して再生可能な副情報を特定する特定手段と、該特定した副情報を前記主情報に関連して再生する再生手段と、として機能させることを特徴とする再生制御用プログラムにより、上述した課題を解決した。
この第八の本発明によれば、識別情報と存在情報とに基づいて、主情報に関連して再生可能な副情報を特定し、特定した副情報を主情報に関連して再生するようにコンピュータが機能するので、主情報と、当該主情報に関連付けて再生されるべき副情報と、の対応関係を正確に保持して夫々が保護されている著作権を保持することができる。また、主情報が他の記録媒体上に移動される時、存在情報が、主情報と主情報に関連する副情報が同一の記録媒体上に存在しないことを示す内容に書き換えられるので、主情報と副情報とが別個に移動されてきた後であっても、その移動前の相互の関連付けの関係をその移動前の状態に復活することができる。
更に、第八の本発明の好ましい第一の態様は、前記記録媒体は更に、前記主情報に関連する前記副情報の関連付けを一時的に抑止するか否かを示す抑止情報が記録されており、前記再生手段として機能する前記コンピュータを、前記抑止情報に基づいて、前記特定した副情報の内、関連付けが抑止されていない副情報のみを前記主情報に関連して再生する用に機能させることを特徴とする。
この一態様によれば、抑止情報に基づいて、特定した副情報の内、関連付けが抑止されていない副情報のみを主情報に関連して再生するようにコンピュータが機能するので、関連付けが抑止されている場合にその抑止状態を遵守して再生されるべき副情報を再生することができる。
上記の課題を解決するために、第九の本発明は、上記第八の本発明の再生制御用プログラムが前記コンピュータで読取可能に記録されている情報記録媒体により、上述した課題を解決した。
この第九の本発明によれば、記録されている第八の発明をコンピュータで読み出して実行することにより、識別情報と存在情報とに基づいて、主情報に関連して再生可能な副情報を特定し、特定した副情報を主情報に関連して再生するように当該コンピュータが機能するので、主情報と、当該主情報に関連付けて再生されるべき副情報と、の対応関係を正確に保持して夫々が保護されている著作権を保持することができる。また、主情報が他の記録媒体上に移動される時、存在情報が、主情報と主情報に関連する副情報が同一の記録媒体上に存在しないことを示す内容に書き換えられるので、主情報と副情報とが別個に移動されてきた後であっても、その移動前の相互の関連付けの関係をその移動前の状態に復活することができる。
図面の簡単な説明
図１は、実施形態に係る物理フォーマットを示す図（Ｉ）である。
図２は、実施形態に係る物理フォーマットを示す図（ＩＩ）である。
図３は、実施形態に係る物理フォーマットを示す図（ＩＩＩ）である。
図４は、実施形態に係る物理フォーマットを示す図（ＩＶ）である。
図５は、実施形態に係る情報記録再生装置の概要構成を示すブロック図である。
図６は、実施形態に係る音楽情報等の記録処理を示すフローチャート（Ｉ）である。
図７は、実施形態に係る音楽情報等の記録処理を示すフローチャート（ＩＩ）である。
図８は、実施形態に係る音楽情報等の記録処理を示すフローチャート（ＩＩＩ）で




【国際調査報告】
2003092002.tif 000020
2003092002.tif 000021
2003092002.tif 000022
2003092002.tif 000023